(57)【要約】【課題】客体表示方法、客体提供方法及びそのためのシステムを提供する。【解決手段】第２デバイスで再生されるコンテンツに係わる客体を表示する第１デバイスにおいて、第２デバイスで、前記コンテンツが再生されている最中、第２デバイスのサービス領域からの第１デバイスの離脱を感知するセンシング部と、センシング部が離脱を感知した時点で、第２デバイスで再生されているコンテンツに係わる情報を受信するためのリンク情報を含むコンテンツに係わる客体を管理サーバに要請し、コンテンツに係わる客体を管理サーバから受信する通信部と、受信されたコンテンツに係わる客体を、第１デバイスの所定画面に表示するように、ディスプレイ部を制御する制御部と、を含むことを特徴とする第１デバイスである。【選択図】図１
2014149832.tif 000002
【特許請求の範囲】
【請求項１】
第２デバイスで再生されるコンテンツに係わる客体を表示する第１デバイスにおいて、
前記第２デバイスで、前記コンテンツが再生されている最中、前記第２デバイスのサービス領域からの前記第１デバイスの離脱を感知するセンシング部と、
前記センシング部が、前記離脱を感知した時点で前記第２デバイスで再生されている前記コンテンツに係わる情報を受信するためのリンク情報を含む前記コンテンツに係わる客体を管理サーバに要請し、前記コンテンツに係わる客体を、前記管理サーバから受信する通信部と、
前記受信されたコンテンツに係わる客体を、前記第１デバイスの所定画面に表示するように、ディスプレイ部を制御する制御部と、を含むことを特徴とする第１デバイス。
【請求項２】
前記センシング部は、
前記第２デバイスとの通信連結遮断を感知することを特徴とする請求項１に記載の第１デバイス。
【請求項３】
前記センシング部は、
前記第２デバイスのサービス領域外または境界に存在する外部装置を認識することにより、前記離脱を感知することを特徴とする請求項１に記載の第１デバイス。
【請求項４】
前記制御部は、
前記第１デバイスで収集されるイベント情報に基づいて、前記第２デバイスで再生されるコンテンツに係わる前記第１デバイスのユーザの関心度を獲得し、前記獲得された関心度が所定値以上である場合、前記通信部を介して、前記コンテンツに係わる客体を、前記管理サーバに要請することを特徴とする請求項１に記載の第１デバイス。
【請求項５】
前記制御部は、
前記第１デバイスで収集されるイベント情報に基づいて、前記第１デバイスのユーザが、前記第２デバイスで再生されるコンテンツを観覧していた確率を算出することを特徴とする請求項４に記載の第１デバイス。
【請求項６】
前記通信部は、
前記第２デバイスに係わる情報、及び前記サービス領域に係わる情報のうち少なくとも一つを含む前記コンテンツに係わる客体に対する要請を、前記管理サーバに伝送することを特徴とする請求項１に記載の第１デバイス。
【請求項７】
前記コンテンツに係わる客体は、
前記コンテンツのイメージに、リンク情報及びインデックス情報のうち少なくとも一つが連結されたことを特徴とする請求項１に記載の第１デバイス。
【請求項８】
前記コンテンツに係わる客体は、
前記コンテンツに対応するアプリケーション・アイテム、前記コンテンツに対応するレジュームアイテム、前記コンテンツに対応する付加情報アイテム、及び前記コンテンツに対応する広告アイテムのうち少なくとも一つを含むことを特徴とする請求項１に記載の第１デバイス。
【請求項９】
前記制御部は、
前記第１デバイスの動作モードが、待機モードからアクティブモードに転換されるとき、前記第１デバイスに初めてディスプレイされるファーストスクリーンに、前記コンテンツに係わる客体を表示するように、前記ディスプレイ部を制御することを特徴とする請求項１に記載の第１デバイス。
【請求項１０】
前記サービス領域は、
前記第１デバイスが、前記第２デバイスと通信することができる通信領域、及び前記第１デバイスのユーザが、前記第２デバイスで再生されるコンテンツを直接観覧することができる観覧領域のうち少なくとも一つを含むことを特徴とする請求項１に記載の第１デバイス。
【請求項１１】
第１デバイスがコンテンツを再生している第２デバイスのサービス領域から離脱する場合、前記第１デバイスから、前記コンテンツに係わる客体を要請する要請情報を受信し、前記第２デバイスに、前記離脱時点で前記第２デバイスで再生中である前記コンテンツに係わる情報を要請して受信する通信部と、
前記コンテンツに係わる情報に基づいて、前記コンテンツに係わる客体を生成し、前記通信部を介して、前記生成されたコンテンツに係わる客体を、前記第１デバイスに伝送する制御部と、を含むことを特徴とする管理サーバ。
【請求項１２】
前記制御部は、
前記第１デバイスで収集されるイベント情報に基づいて、前記第２デバイスで再生されている前記コンテンツに係わる前記第１デバイスのユーザの関心度を獲得し、前記獲得された関心度が、所定値以上である場合、前記コンテンツに係わる客体を生成することを特徴とする請求項１１に記載の管理サーバ。
【請求項１３】
前記要請情報は、
前記第２デバイスに係わる情報、及び前記サービス領域に係わる情報のうち少なくとも一つを含むことを特徴とする請求項１１に記載の管理サーバ。
【請求項１４】
前記通信部は、
前記第１デバイスから、前記要請情報が受信された時点で前記第２デバイスで再生中であるコンテンツに係わる情報を、前記第２デバイスに要請することを特徴とする請求項１１に記載の管理サーバ。
【請求項１５】
第１デバイスが、第２デバイスで再生されるコンテンツに係わる客体を表示する方法において、
前記第２デバイスで、前記コンテンツが再生されている最中、前記第２デバイスのサービス領域からの前記第１デバイスの離脱を感知する段階と、
前記離脱を感知した時点で前記第２デバイスで再生されている前記コンテンツに係わる情報を受信するためのリンク情報を含む前記コンテンツに係わる客体を、管理サーバに要請する段階と、
前記コンテンツに係わる客体を、前記管理サーバから受信する段階と、
前記受信されたコンテンツに係わる客体を、前記第１デバイスの所定画面に表示する段階と、を含むことを特徴とする第１デバイスの客体表示方法。
【発明の詳細な説明】
【技術分野】
【０００１】
本発明は、第１デバイスが、第２デバイスで再生されるコンテンツに係わる客（object）を所定画面に表示する方法、第２デバイスまたは管理サーバが、第２デバイスで再生されるコンテンツに係わる客体を、第１デバイスに提供する方法、及びそのためのシステムに関する。
【背景技術】
【０００２】
通信技術とディスプレイ技術とが発達するにつれ、ユーザは、公共の場所（public place）で提供される多種のコンテンツに接する。例えば、ユーザは、政府機関や地方自治体、デパートや展示場、または空港や鉄道駅のような公共の場所に設置されたディスプレイ装置（例えば、キオスク（kiosk））を介して、各種行政手続きや商品情報、施設物の利用方法、近隣地域に係わる観光情報などを確認することができる。また、ユーザは、飛行機内または高速バス内に設置されたディスプレイ装置を介し、映画コンテンツを鑑賞することができ、乗降場や待合室（waiting room）に設置されたディスプレイ装置を介して、ニュースなどの放送コンテンツを鑑賞することもできる。
【０００３】
そのとき、ユーザは、続けて公共の場所に留まることができないので、公共の場所で再生されるコンテンツの鑑賞を中断し、他の場所に移動しなければならない。
【０００４】
従って、ユーザが公共の場所を離れても、公共の場所で提供されていたサービスを、自分の個人端末を介して、続けて利用可能とするシステムが必要である。
【発明の概要】
【発明が解決しようとする課題】
【０００５】
本発明が解決しようとする課題は、第１デバイスが、コンテンツを再生する第２デバイスのサービス領域を離脱する場合、第２デバイスで再生されるコンテンツを観覧していた第１デバイスのユーザに、第２デバイスで再生されるコンテンツと係わるおすすめアイテム（recommendation item）を、第１デバイスを介して提供する方法及びそのシステムを提供することである。
【課題を解決するための手段】
【０００６】
前記課題を解決するために、本発明の一実施形態による第１デバイスは、第２デバイスでコンテンツが再生されている最中に、第２デバイスのサービス領域から第１デバイスの離脱を感知するセンシング部と、該センシング部が離脱を感知した時点で、第２デバイスで再生されているコンテンツと係わる情報を受信するためのリンク情報を含むコンテンツに係わる客体を管理サーバに要請し、コンテンツに係わる客体を管理サーバから受信する通信部と、受信されたコンテンツに係わる客体を、第１デバイスの所定画面に表示するように、ディスプレイ部を制御する制御部と、を含んでもよい。
【０００７】
本発明の一実施形態による管理サーバは、第１デバイスがコンテンツを再生している第２デバイスのサービス領域から離脱する場合、第１デバイスから、コンテンツに係わる客体を要請する要請情報を受信し、第２デバイスに、離脱時点で第２デバイスで再生中であるコンテンツと係わる情報を要請して受信する通信部と、コンテンツと係わる情報に基づいて、コンテンツに係わる客体を生成し、通信部を介して、生成されたコンテンツに係わる客体を第１デバイスに伝送する制御部と、を含んでもよい。
【０００８】
本発明の一実施形態による第１デバイスは、第２デバイスで再生されているコンテンツと係わる情報を受信するためのリンク情報を含むコンテンツに係わる客体を、第２デバイスから所定周期で受信する通信部と、第２デバイスでコンテンツが再生されている最中、第２デバイスのサービス領域からの第１デバイスの離脱を感知するセンシング部と、離脱を感知する時点で、コンテンツに係わる客体を、第１デバイスの所定画面に表示するように、ディスプレイ部を制御する制御部と、を含んでもよい。
【０００９】
本発明の一実施形態による第１デバイスは、第２デバイスで再生されているコンテンツに係わる情報を、第２デバイスのサービス領域内で、第２デバイスから受信する通信部と、第２デバイスでコンテンツが再生されている最中、第２デバイスのサービス領域からの第１デバイスの離脱を感知するセンシング部と、受信されたコンテンツに係わる情報を利用して、離脱を感知した時点で、コンテンツに係わる客体を生成する制御部と、生成されたコンテンツに係わる客体を、第１デバイスの所定画面に表示するディスプレイ部と、を含んでもよい。
【００１０】
前記課題を解決するために、本発明の一実施形態による第１デバイスの客体表示方法は、第２デバイスでコンテンツが再生されている最中、第２デバイスのサービス領域からの第１デバイスの離脱を感知する段階と、離脱を感知した時点で、第２デバイスで再生されているコンテンツに係わる情報を受信するためのリンク情報を含むコンテンツに係わる客体を、管理サーバに要請する段階と、コンテンツに係わる客体を管理サーバから受信する段階と、受信されたコンテンツに係わる客体を、第１デバイスの所定画面に表示する段階と、を含んでもよい。
【００１１】
本発明の一実施形態による管理サーバの客体提供方法は、第１デバイスがコンテンツを再生している第２デバイスのサービス領域から離脱する場合、第１デバイスから、コンテンツに係わる客体を要請する要請情報を受信する段階と、第２デバイスに、離脱時点で第２デバイスで再生中であるコンテンツに係わる情報を要請する段階と、第２デバイスからコンテンツに係わる情報を受信する段階と、コンテンツに係わる情報に基づいて、コンテンツに係わる客体を生成する段階と、生成されたコンテンツに係わる客体を、第１デバイスに伝送する段階と、を含んでもよい。
【発明の効果】
【００１２】
本発明の一実施形態による第１デバイスは、ユーザが、第１デバイスの外部で経験するサービスを、個人用デバイスである第１デバイスを介して、再び経験することを可能とする。
【００１３】
すなわち、本発明の一実施形態によれば、ユーザは、公共デバイスを介して鑑賞したコンテンツを、公共デバイスのサービス領域から外れたとしても、個人デバイスを介して、続けて鑑賞することができる。
【図面の簡単な説明】
【００１４】
【図１】本発明の一実施形態に係わる客体提供システムについて説明するためのブロック構成図である。
【図２】本発明の一実施形態に係わる第１デバイスのおすすめアイテム表示方法について説明するためのフローチャートである。
【図３】本発明の一実施形態に係わる第１デバイスのおすすめアイテム表示方法について説明するための図面である。
【図４】本発明の一実施形態に係わる第１デバイスが、状況分析を介して、おすすめアイテムを表示する方法について説明するためのフローチャートである。
【図５】本発明の一実施形態に係わる管理サーバが、おすすめアイテムを提供する方法について説明するためのフローチャートである。
【図６】本発明の他の実施形態に係わる第１デバイスのおすすめアイテム表示方法について説明するための図面である。
【図７】本発明の他の実施形態に係わる第１デバイスのおすすめアイテム表示方法について説明するためのフローチャートである。
【図８】本発明の一実施形態に係わる第２デバイスがおすすめアイテムを提供する方法について説明するためのフローチャートである。
【図９】本発明のさらに他の実施形態に係わる第１デバイスのおすすめアイテム表示方法について説明するための図面である。
【図１０】本発明のさらに他の実施形態に係わる第１デバイスのおすすめアイテム表示方法について説明するためのフローチャートである。
【図１１Ａ】本発明の一実施形態に係わるおすすめアイテムを表示する所定画面を示す図面である。
【図１１Ｂ】本発明の一実施形態に係わるおすすめアイテムを表示する所定画面を示す図面である。
【図１２】本発明の一実施形態に係わる第１デバイスが、外部デバイスからおすすめアイテムを受信して表示する方法について説明するための図面である。
【図１３Ａ】本発明の一実施形態に係わる第１デバイスが外部デバイスと、おすすめアイテムを共有する方法について説明するための図面である。
【図１３Ｂ】本発明の一実施形態に係わる第１デバイスが外部デバイスと、おすすめアイテムを共有する方法について説明するための図面である。
【図１３Ｃ】本発明の一実施形態に係わる第１デバイスが外部デバイスと、おすすめアイテムを共有する方法について説明するための図面である。
【図１４Ａ】本発明の一実施形態に係わる、大衆交通施設内で再生されるコンテンツに係わるおすすめアイテムを提供する方法について説明するための図面である。
【図１４Ｂ】本発明の一実施形態に係わる、大衆交通施設内で再生されるコンテンツに係わるおすすめアイテムを提供する方法について説明するための図面である。
【図１５】本発明の一実施形態に係わる、劇場内で再生される映画コンテンツに係わるおすすめアイテムを提供する方法について説明するための図面である。
【図１６】本発明の一実施形態に係わる、スポーツ競技場内でプレイされるスポーツコンテンツに係わるおすすめアイテムを提供する方法について説明するための図面である。
【図１７Ａ】本発明の一実施形態に係わる第１デバイスの構成について説明するためのブロック構成図である。
【図１７Ｂ】本発明の一実施形態に係わる第１デバイスの構成について説明するためのブロック構成図である。
【図１８】本発明の一実施形態に係わる第２デバイスの構成について説明するためのブロック構成図である。
【図１９】本発明の一実施形態に係わる管理サーバの構成について説明するためのブロック構成図である。
【発明を実施するための形態】
【００１５】
本明細書で使用される用語について簡潔に説明し、本発明について具体的に説明する。
【００１６】
本発明で使用される用語は、本発明での機能を考慮しながら、可能な限り現在広く使用される一般的な用語を選択したが、それは、当業者の意図または判例、新たな技術の出現などによって異なりもする。また、特定の場合は、出願人が任意に選定した用語もあり、その場合、当該発明の説明部分で、詳細にその意味を記載する。従って、本発明で使用される用語は、単純な用語の名称ではない、その用語が有する意味と、本発明の全般にわたった内容とを基に定義されなければならない。
【００１７】
明細書全体で、ある部分がある構成要素を「含む」とするとき、それは、特別に反対となる記載がない限り、他の構成要素を除外するものではなく、他の構成要素をさらに含んでもよいということを意味する。また、明細書に記載された「…部」、「モジュール」のような用語は、少なくとも１つの機能や動作を処理する単位を意味し、それは、ハードウェアまたはソフトウェアで具現されたり、あるいはハードウェアとソフトウェアとの結合によって具現されるのである。
【００１８】
明細書全体で、「ファーストスクリーン（first screen）」は、デバイスの電源がターンオンされたり、デバイスのロッキングが解除されたり、あるいはデバイスの動作モードが待機モードからアクティブモードに転換されるとき、デバイスに初めてディスプレイされる画面を意味する。本発明の一実施形態によるファーストスクリーンは、デバイスのホーム画面でもあり、メニュー画面でもあり、バックグラウンド画面でもあるが、それらに限定されるものではない。本発明の一実施形態によるファーストスクリーンは、デバイスが所定サービスを提供するためのゲートウェイでもある。例えば、デバイスは、ファーストスクリーンを介しておすすめサービスを提供することができる。
【００１９】
以下、添付した図面を参照し、本発明の実施形態について、本発明が属する技術分野で当業者が容易に実施するように詳細に説明する。しかし、本発明は、さまざまに異なる形態に具現され、ここで説明する実施形態に限定されるものではない。そして、図面で、本発明について明確に説明するために、説明と関係ない部分は省略し、明細書全体を介して、類似部分については、類似した図面符号を付した。
【００２０】
図１は、本発明の一実施形態に係わる客体（object）提供システムについて説明するためのブロック構成図である。
【００２１】
図１に図示されているように、本発明の一実施形態による客体提供システムは、第１デバイス１００、第２デバイス２００、管理サーバ３００を含む。しかし、図示された構成要素が、いずれも必須構成要素であるというものではない。図示された構成要素より多くの構成要素によって、客体提供システムが具現されたり、それより少ない構成要素によっても、客体提供システムが具現されもする。例えば、管理サーバ３００は、具現例によって、客体提供システムに含まれもし、含まれないこともある。客体提供システムが、管理サーバ３００を含む場合についてまず説明し、客体提供システムが、管理サーバ３００を含まない場合については、図６ないし図１０を参照して追って説明する。
【００２２】
第１デバイス１００は、外部デバイス（例えば、公共デバイス）で再生されるコンテンツに係わる客体を表示する装置でもある。以下では、「コンテンツに係わる客体」を、「コンテンツに係わるおすすめアイテム（recommendation item）」と表現する。本発明の一実施形態による「コンテンツに係わる客体」は、コンテンツに係わる情報を受信するためのリンク情報を含んでもよい。そのとき、「コンテンツに係わる情報」は、場合によっては、「コンテンツ情報」とも表現される。
【００２３】
第１デバイス１００は、移動自在の個人デバイスでもある。本発明の一実施形態による第１デバイス１００は、多様な形態で具現される。例えば、本明細書で記述される第１デバイス１００は、携帯電話、スマートフォン（smart phone）、ノート型パソコン（laptop computer）、タブレットＰＣ（personal computer）、電子ブック端末機、デジタル放送用端末機、ＰＤＡ（personal digital assistant）、ＰＭＰ（portable multimedia player）、ナビゲーション、ＭＰ３プレイヤ、デジタルカメラなどである。本明細書で記述される第１デバイス１００は、ユーザによって着用される装置（wearable device）でもある。例えば、本発明の一実施形態による第１デバイス１００は、腕時計、めがね、指輪、腕輪、ネックレスなどでもある。
【００２４】
第１デバイス１００は、第２デバイス２００のサービス領域内に位置していて、サービス領域外に移動することがある。第２デバイス２００のサービス領域は、第２デバイス２００が、ユーザまたは他のデバイスに、サービスを提供することができる領域を意味する。例えば、第２デバイス２００のサービス領域には、第２デバイス２００が通信サービスを提供することができる領域、第２デバイス２００がコンテンツ再生サービスを提供することができる領域などがある。
【００２５】
第１デバイス１００が、第２デバイス２００のサービス領域に位置する場合、第１デバイス１００は、第２デバイス２００と通信連結される。例えば、第１デバイス１００は、第２デバイス２００と近距離通信を行うことができる。近距離通信の例としては、無線ＬＡＮ（local area network）（Ｗｉ−Ｆｉ（wireless fidelity））、ＮＦＣ（near field communication）、ブルートゥース、ＢＬＥ（Bluetooth（登録商標） low energy）、ジグビー、ＷＦＤ（Ｗｉ−Ｆｉ direct）、ＵＷＢ（ultra-wideband）などがあるが、それらに限定されるものではない。一方、第１デバイス１００は、管理サーバ３００と有無線で連結される。
【００２６】
一方、第１デバイス１００は、第２デバイス２００または管理サーバ３００に、おすすめアイテムを要請して受信することができる。本発明の一実施形態によるおすすめアイテムは、第２デバイス２００で再生されるコンテンツに係わるアイテムでもある。例えば、おすすめアイテムは、第２デバイス２００で再生されるコンテンツに対応するアプリケーション・アイテム、レジュームアイテム（resume item）、付加情報アイテム、広告アイテムなどがあるが、それらに限定されるものではない。
【００２７】
本発明の一実施形態によるおすすめアイテムは、コンテンツのイメージに、リンク情報またはインデックス情報が連結されたものでもあり、サービス利用のための客体形態で構成されもする。
【００２８】
本明細書で、「サービス利用のための客体」は、サービス提供者（service provider）のサービスを利用するためのユーザ・インターフェース（ＵＩ）をいう。サービス利用のための客体は、サーバまたはコンテンツ提供者（content provider）から提供されるサービスを利用するためのユーザ・インターフェースでもある。サービス利用のための客体は、例えば、アイコン、テキスト、イメージ及びリンク情報を含むユーザ・インターフェース、及び客体の機能に係わる説明情報（description）を含んでもよい。
【００２９】
本発明の一実施形態による第１デバイス１００は、サーバから客体を受信し、受信された客体を利用して、サービス提供者のサービスを利用することができる。例えば、第１デバイス１００は、客体を利用することにより、第１デバイス１００内のアプリケーション・プログラム、データソース、サーバまたはコンテンツ提供者からコンテンツを獲得して処理することができる。また、客体は、ユーザ（または、デバイス）のコンテクスト情報（context information）に基づいて提供される所定のサービスがパッケージングされたユーザ・インターフェースでもある。
【００３０】
本発明の一実施形態による客体は、第１デバイス１００にインストールされていなかったり、あるいは第１デバイス１００によって実行されず、第１デバイス１００のホストプログラムによって解析されることにより、第１デバイス１００の画面に表示され、ユーザによって利用されもする。該客体は、例えば、ガジェット（gadget）でもあるが、それに制限されるものではない。
【００３１】
本発明の一実施形態による第１デバイス１００は、第２デバイス２００のサービス領域を離脱する場合、第２デバイス２００で再生されるコンテンツに係わるおすすめアイテムを、所定画面に表示することができる。
【００３２】
一方、本発明の一実施形態による第１デバイス１００では、アプリケーション・プロセッサ（以下、「ＡＰ」とする）と別途に、ＳＳＰ（seamless sensing platform）が動作することができる。第１デバイス１００は、ＳＳＰのセンサハブ（sensor hub）にセンサを連結し、スリープモードのＡＰを目覚めさせず、センシング情報を収集し、状況を認知することができる。ＳＳＰのセンサハブ（一種のＭＣＵ（memory control unit））は、所定状況が生じた場合、スリープモードのＡＰを目覚めさせる。本発明の一実施形態によるＳＳＰ、ＡＰは、ハードウェア（Ｈ／Ｗ）、ソフトウェア（Ｓ／Ｗ）、またはそれらが結合された形態（Ｈ／Ｗ＋Ｓ／Ｗ）によって具現される。ＳＳＰに係わる説明は、図１７を参照し、追ってさらに説明する。
【００３３】
第２デバイス２００は、コンテンツを再生するディスプレイ装置でもある。特に、本発明の一実施形態による第２デバイス２００は、公共デバイスである。例えば、本明細書で記述される第２デバイス２００は、大衆交通手段（例えば、バス、飛行機、地下鉄、列車など）に設置されたディスプレイ装置、キオスク（例えば、ＤＩＤ（digital information display）装置、ＬＦＤ（large format display）装置）、劇場に設置された映画スクリーン装置、スポーツ競技長内に設置された電光板などがあるが、それらに限定されるものではない。
【００３４】
第２デバイス２００は、第１デバイス１００と近距離通信で連結される。また、第２デバイス２００は、管理サーバ３００と有無線通信を行うこともできる。
【００３５】
本発明の一実施形態による第２デバイス２００は、再生されるコンテンツに係わる情報（例えば、コンテンツの識別情報、コンテンツの再生位置情報、コンテンツのキャプチャイメージ、コンテンツに対応するアプリケーション情報など）を、第１デバイス１００または管理サーバ３００に伝送することができる。また、本発明の他の実施形態によれば、第２デバイス２００は、再生されるコンテンツに係わるおすすめアイテムを生成し、第１デバイス１００または管理サーバ３００に伝送することもできる。
【００３６】
管理サーバ３００は、コンテンツ再生サービスを提供する少なくとも１つの第２デバイス２００を管理し、第１デバイス１００に、第２デバイス２００で再生されるコンテンツに係わるおすすめアイテムを提供するサーバでもある。
【００３７】
本発明の一実施形態による管理サーバ３００は、第１デバイス１００または第２デバイス２００と通信を行うことができる。例えば、管理サーバ３００は、第１デバイス１００から、第２デバイス２００で再生されるコンテンツに係わるおすすめアイテム要請が受信される場合、第２デバイス２００に、コンテンツ関連情報を要請することができる。そして、管理サーバ３００は、第２デバイス２００から受信されたコンテンツ関連情報に基づいて、おすすめアイテムを生成し、第１デバイス１００に、生成されたおすすめアイテムを伝送することもできる。
【００３８】
本発明の一実施形態による管理サーバ３００は、インテリジェンス・エンジンを含むことができ、管理サーバ３００は、インテリジェンス・エンジンを介して、第１デバイス１００で収集されるイベント情報を分析することができる。例えば、管理サーバ３００は、イベント情報を分析し、第２デバイス２００で再生されるコンテンツに係わる第１デバイス１００のユーザの関心度、第１デバイス１００のユーザが、第２デバイス２００で再生されるコンテンツを観覧していた確率などを算出することができる。
【００３９】
以下では、第１デバイス１００、第２デバイス２００及び管理サーバ３００の間の通信を介して、ユーザにおすすめアイテムを提供する方法について、図２ないし図５を参照して詳細に説明する。
【００４０】
図２は、本発明の一実施形態に係わる第１デバイスのおすすめアイテム表示方法について説明するためのフローチャートである。
【００４１】
段階２１０で、第１デバイス１００は、コンテンツを再生する第２デバイス２００のサービス領域からの第１デバイス１００の離脱を感知する。例えば、第１デバイス１００のユーザが、第１デバイス１００を所持したまま他の場所に移動し、第１デバイス１００の位置が、第２デバイス２００のサービス領域から外れる場合、第１デバイス１００は、サービス領域からの離脱を感知することができるのである。
【００４２】
本発明の一実施形態による第２デバイス２００のサービス領域は、第１デバイス１００が第２デバイス２００と通信することができる通信領域、第１デバイス１００のユーザが第２デバイス２００で再生されるコンテンツを直接観覧することができる観覧領域などでもある。例えば、第２デバイス２００が、バス内でコンテンツを再生する広告パネルである場合、第２デバイス２００のサービス領域は、ユーザが広告パネルで再生するコンテンツを観覧することができるバス内部領域や、広告パネルが他のデバイスと通信することができる広告パネルの通信領域でもある。
【００４３】
本発明の一実施形態によれば、第１デバイス１００は、第２デバイス２００との通信連結が遮断される場合、第２デバイス２００のサービス領域から離脱することを感知する。そのとき、第２デバイス２００のサービス領域は、第２デバイス２００の通信半径でもある。
【００４４】
例えば、第１デバイス１００が、第２デバイス２００のサービス領域内に位置したＡＰ（access point）に連結されている。そのとき、ユーザが、第１デバイス１００を所持したまま移動する場合、第１デバイス１００は、第２デバイス２００のサービス領域内に位置したＡＰとの連結途絶を感知する。
【００４５】
本発明の他の実施形態によれば、第１デバイス１００が、第２デバイス２００のサービス領域外または境界に存在する外部装置を認識する場合、第１デバイス１００は、第２デバイス２００のサービス領域からの離脱を感知する。例えば、第１デバイス１００が、第２デバイス２００のサービス領域外に存在する外部装置から、近距離無線通信を介して、外部装置の識別情報または外部装置の位置情報を受信する場合、第１デバイス１００は、外部装置の識別程度または外部装置の位置情報に基づいて、第２デバイス２００のサービス領域からの離脱を感知する。
【００４６】
本発明の一実施形態による外部装置は、近距離無線通信（ＮＦＣ）タグ、ジグビータグ、ＢＬＥタグなどでもあるが、それらに限定されるものではない。
【００４７】
例えば、第１デバイス１００がユーザの携帯端末であり、第２デバイス２００がバス内に存在するディスプレイ装置であり、外部装置が下車用ＮＦＣ端末でもある。そのとき、ユーザが、自分の携帯端末を下車用ＮＦＣ端末（サービス領域の境界に存在する外部装置）にタッチする場合、携帯端末は、下車用ＮＦＣ端末を認識することにより、バス内のディスプレイ装置のサービス領域から外れることを感知する。
【００４８】
一方、第１デバイス１００が、第２デバイス２００のサービス領域に係わる情報をあらかじめ保存している場合、第１デバイス１００は、現在位置情報を利用して、第２デバイス２００のサービス領域から外れることを感知することもできる。そのとき、本発明の一実施形態による第１デバイス１００は、ＲＦ（radio frequency）または赤外線を利用したビーコン（beacon）信号基盤技術、超音波位置認識技術、Ｗｉ−Ｆｉ信号のフィンガプリント（finger print）を利用した位置認識技術、ジグビー位置認識技術、及びＧＰＳ（global positioning system）信号基盤技術のうち少なくとも一つを利用して、現在位置情報を獲得することができる。
【００４９】
例えば、第１デバイス１００は、Ｗｉ−Ｆｉ、ＧＰＳ、通信網基地局などの情報を利用して、第２デバイス２００のサービス領域から、第１デバイス２００がＮ ｋｍほど離れていることを感知する。
【００５０】
一方、本発明の一実施形態によれば、ユーザが、第２デバイス２００のサービス領域内でチェックイン（check in）を行った場合、第１デバイス１００は、加速度センサを利用して、第１デバイス１００がチェックインした位置から動いた距離を予測することもできる。本発明の一実施形態によるチェックインは、特定領域を訪問したり、あるいは特定サービスを利用した記録を、ユーザが意図的に残す行為を意味する。
【００５１】
段階２２０で、第１デバイス１００は、第２デバイス２００で再生されるコンテンツに係わるおすすめアイテムを、管理サーバ３００に要請することができる。すなわち、本発明の一実施形態によれば、第１デバイス１００が、第２デバイス２００のサービス領域から外れる場合、第１デバイス１００は、第２デバイス２００で再生されるコンテンツに係わるアイテムをユーザに勧めるために、管理サーバ３００におすすめアイテムを要請することができる。
【００５２】
本発明の一実施形態による第１デバイス１００は、第２デバイス２００に係わる情報、及び第２デバイス２００のサービス領域に係わる情報を、管理サーバ３００に伝送しつつ、おすすめアイテムを要請することができる。
【００５３】
例えば、第１デバイス１００は、第１デバイス１００の位置情報、第２デバイス２００の位置情報、第２デバイス２００の識別情報のうち少なくとも一つにより、管理サーバ３００に伝送しながら、おすすめアイテムを要請することができる。そのとき、第２デバイス２００の位置情報は、第２デバイス２００のサービス領域に係わる情報（例えば、サービス領域を識別するための識別値）を含んでもよい。
【００５４】
一方、本発明の一実施形態による第１デバイス１００は、第２デバイス２００からブロードキャスティングされる管理サーバ３００に係わる情報を受信することができる。管理サーバ３００に係わる情報は、管理サーバ３００にアクセスするためのリンク情報（例えば、ＵＲＬ（uniform resource locator））を含んでもよい。
【００５５】
すなわち、第２デバイス２００は、第２デバイス２００で再生されるコンテンツに係わるおすすめアイテムを獲得することができる管理サーバ３００に係わる情報を、近距離通信を介して、所定周期でブロードキャスティングすることができる。近距離通信の一例としては、ＢＬＥ、ＮＦＣ、ＵＷＢ、ＡＮＴ＋などがあるが、それらに限定されるものではない。また、第２デバイス２００は、第２デバイス２００で再生されるコンテンツに係わるおすすめアイテムを獲得することができる管理サーバ３００に係わる情報を、二次元バーコード（例えば、ＱＲコード（登録商標））、カラーコード、グレーコード、タッチコードなどを介して提供することもできる。従って、本発明の一実施形態による第１デバイス１００は、第２デバイス２００のサービス領域から外れる場合、第２デバイス２００から受信された管理サーバ３００に係わる情報に基づいて、管理サーバ３００におすすめアイテムを要請することができる。
【００５６】
本発明の一実施形態による管理サーバ３００は、第１デバイス１００の位置情報、第２デバイス２００の位置情報、第２デバイス２００の識別情報のうち少なくとも一つに基づいて、第２デバイス２００、または第２デバイス２００のサービス領域を特定することができる。例えば、第１デバイス１００が、第１デバイス１００の離脱時の位置情報を、管理サーバ３００に伝送する場合、管理サーバ３００は、第１デバイス１００の位置から所定半径内に存在する第２デバイス２００、または第２デバイス２００のサービス領域を特定することができる。
【００５７】
そのとき、管理サーバ３００は、第２デバイス２００で再生されるコンテンツに係わる情報を、第２デバイス２００に要請し、第２デバイス２００から受信されたコンテンツに係わる情報を利用して、おすすめアイテムを生成することができる。
【００５８】
本発明の一実施形態による管理サーバ３００は、第１デバイス１００からおすすめアイテムに係わる要請が受信される時点に係わる情報を、第２デバイス２００に伝送することができる。すなわち、管理サーバ３００は、第１デバイス１００から、おすすめアイテムに係わる要請が受信される時点で第２デバイス２００で再生されるコンテンツに係わる情報を、第２デバイス２００に要請することができる。
【００５９】
管理サーバ３００がおすすめアイテムに係わる要請を受信する時点と、第１デバイス１００が第２デバイス２００のサービス領域から離脱する時点との差は大きくないこともある。従って、本明細書では、第１デバイス１００が第２デバイス２００のサービス領域から離脱する時点は、管理サーバ３００または第２デバイス２００が、おすすめアイテムに係わる要請を受信する時点と表現されもする。
【００６０】
一方、第１デバイス１００が、第２デバイス２００から所定周期で、第２デバイス２００で再生されるコンテンツの再生位置情報（例えば、タイムスタンプ、インデックスなど）、及び第２デバイス２００で再生されるコンテンツのリンク情報のうち少なくとも一つを受信する場合、第１デバイス１００は、コンテンツの再生位置情報、及びコンテンツのリンク情報のうち少なくとも一つを管理サーバ３００に伝送しながら、おすすめアイテムを要請することもできる。
【００６１】
そのとき、管理サーバ３００は、第１デバイス１００から受信されたコンテンツの再生位置情報、またはコンテンツのリンク情報を利用して、第２デバイス２００で再生されるコンテンツに係わるおすすめアイテムを生成することもできる。
【００６２】
本発明の他の実施形態によれば、管理サーバ３００は、第２デバイス２００で再生中であるコンテンツに係わるおすすめアイテムを、第２デバイス２００に要請し、第２デバイス２００からおすすめアイテムを受信することもできる。
【００６３】
本発明の一実施形態によれば、第１デバイス１００は、おすすめアイテムを要請するユーザのジェスチャが感知される場合、管理サーバ３００に、第２デバイス２００で再生されるコンテンツに係わるおすすめアイテムを要請することもできる。おすすめアイテムを要請するユーザのジェスチャは、多様である。例えば、特定ボタン（ホームボタン、電源ボタンなど）を所定時間以上長く押すジェスチャ、画面の特定領域をタッチするジェスチャなどがある。
【００６４】
おすすめアイテムを要請するユーザのジェスチャが感知される場合、第１デバイスは、第２デバイス２００のサービス領域内にあるとしても、おすすめアイテムを管理サーバ３００に要請することができる。
【００６５】
段階２３０で、第１デバイス１００は、コンテンツに係わるおすすめアイテムを、管理サーバ３００から受信することができる。そのとき、本発明の一実施形態によれば、第１デバイス１００は、管理サーバ３００で生成したおすすめアイテムを受信することができる。本発明の他の実施形態によれば、第１デバイス１００は、第２デバイス２００で生成されたおすすめアイテムを、管理サーバ３００を介して受信することもできる。
【００６６】
本発明の一実施形態によるおすすめアイテムは、コンテンツに対応するアプリケーション・アイテム、コンテンツに対応するレジュームアイテム、コンテンツに対応する付加情報アイテム、コンテンツに対応する広告アイテムなどを含んでもよいが、それらに限定されるものではない。
【００６７】
本発明の一実施形態によるアプリケーション・アイテムは、第２デバイス２００で再生されるコンテンツを提供するコンテンツ提供者サーバに接続することができるアプリケーションに係わるアイテムでもある。
【００６８】
本発明の一実施形態によるレジュームアイテムは、第１デバイス１００が、第２デバイス２００のサービス領域から離脱した時点以後、第２デバイス２００で再生されるコンテンツを第１デバイス１００で再生させるアイテムでもある。
【００６９】
本発明の一実施形態による付加情報アイテムは、第２デバイス２００で再生されるコンテンツに係わる付加情報（例えば、映画コンテンツの場合、制作陣紹介、筋書、評点、プレビュー、ＯＳＴ（original soundtrack）情報など）を提供するアイテムでもある。本発明の一実施形態による広告アイテムは、コンテンツ、またはコンテンツに係わる付加サービスの購入を誘導するためのアイテムでもある。
【００７０】
段階２４０で、第１デバイス１００は、コンテンツに係わるおすすめアイテムを、第１デバイス１００の所定画面に表示することができる。
【００７１】
本発明の一実施形態による第１デバイス１００の所定画面は、第１デバイス１００の動作モードが、待機モードからアクティブモードに転換されるとき（例えば、ロッキングが解除されるとき、電源がターンオンされるときなど）、第１デバイス１００に初めてディスプレイされるファーストスクリーンを含んでもよいが、それに限定されるものではない。例えば、第１デバイス１００は、アイコンを配するためのページのうち、特定ページにおすすめアイテムを表示することもでき、バックグラウンド画面の所定領域におすすめアイテムを表示することもできる。
【００７２】
本発明の一実施形態による第１デバイス１００は、おすすめアイテムが複数個である場合、リスト形態で、おすすめアイテムを所定画面に表示することもできる。
【００７３】
また、第１デバイス１００に表示されるおすすめアイテムは、コンテンツのイメージに、リンク情報またはインデックス情報が連結されたものでもある。例えば、おすすめアイテムは、第１デバイス１００が、第２デバイス２００のサービス領域から離脱する時点で第２デバイス２００で再生されるコンテンツをキャプチャしたイメージ（以下、「ラストのスクリーンイメージ」ともする）と、第１デバイス１００の離脱時点で第２デバイス２００で再生されるコンテンツの再生位置に係わる再生位置情報とが連結されたものでもある。
【００７４】
再生位置情報には、第１デバイス１００の離脱時点で第２デバイス２００で再生されるコンテンツにアクセスするためのリンク情報（例えば、ＵＲＬ（uniform resource locator））や、第１デバイス１００の離脱時点で、第２デバイス２００で表示される静止映像コンテンツ（例えば、写真）などにアクセスするためのインデックス情報（例えば、ＵＲＩ（uniform resource identifier））などがある。
【００７５】
本発明のさらに他の実施形態によるおすすめアイテムは、コンテンツを示す所定テキストに、再生位置情報が結合された形態でもある。所定テキストは、コンテンツ提供者が提供するテキストでもある。
【００７６】
一方、本発明の一実施形態によれば、管理サーバ３００は、コンテンツに係わるおすすめアイテムを、第１デバイス１００と連結されたクラウドサーバに伝送することもできる。その場合、第１デバイス１００は、必要な時点で、クラウドサーバからおすすめアイテムを受信して画面に表示することができる。
【００７７】
本発明の一実施形態によれば、第１デバイス１００が、第２デバイス２００のサービス領域から外れる場合、第１デバイス１００のユーザは、第２デバイス２００で再生されるコンテンツをそれ以上観覧することができないので、第１デバイス１００は、第２デバイス２００で再生されるコンテンツに係わる情報をユーザに勧めるために、所定画面におすすめアイテムを表示することができる。それと係わり、図３を参照し、さらに説明する。
【００７８】
図３は、本発明の一実施形態に係わる第１デバイスのおすすめアイテム表示方法について説明するための図面である。図３では、第１デバイス１００が個人移動デバイスであり、第２デバイス２００が公共デバイスである場合を例として挙げて説明する。
【００７９】
「Ａ」公共デバイス２００−１は、アニメーション・コンテンツを再生することができる（段階１）。そのとき、「Ａ」公共デバイス２００−１のサービス領域内に位置する第１デバイス１００のユーザは、「Ａ」公共デバイス２００−１で再生するアニメーション・コンテンツを観覧することができる。第１デバイス１００のユーザが、所定時間以上「Ａ」公共デバイス２００−１のサービス領域に留まっていて（ＩＮ）、他の空間に移動する（ＯＵＴ）場合、第１デバイス１００のユーザは、それ以上「Ａ」公共デバイス２００−１で再生されるアニメーション・コンテンツを観覧することができなくなる。
【００８０】
従って、第１デバイス１００は、「Ａ」公共デバイス２００−１のサービス領域からの離脱が感知されれば（段階２）、管理サーバ３００に、「Ａ」公共デバイス２００−１で再生されるコンテンツに係わるおすすめアイテムを要請することができる（段階３）。第１デバイス１００が、第２デバイス２００のサービス領域からの離脱を感知する段階２は、図２の段階２１０に対応するので、具体的な説明は省略する。
【００８１】
管理サーバ３００は、それぞれの第２デバイス２００のサービス領域に係わるデータベースを構築している。従って、管理サーバ３００は、第１デバイス１００から、おすすめアイテム提供要請が受信される場合、第１デバイス１００の位置に基づいて、第２デバイス２００を、「Ａ」公共デバイス２００−１に特定することができる。
【００８２】
管理サーバ３００は、「Ａ」公共デバイス２００−１に、第１デバイス１００が離脱する時点（または、管理サーバ３００がおすすめアイテムに係わる要請を、第１デバイス１００から受信した時点）で、「Ａ」公共デバイス２００−１で再生していたコンテンツに係わる情報を要請することができる。そのとき、「Ａ」公共デバイス２００−１は、管理サーバ３００の要請に応答し、第１デバイス１００が離脱する時点（または、管理サーバ３００が、おすすめアイテムに係わる要請を、第１デバイス１００から受信した時点）で再生していたコンテンツのイメージ、第１デバイス１００が離脱する時点（または、管理サーバ３００が、おすすめアイテムに係わる要請を、第１デバイス１００から受信した時点）で再生していたコンテンツの再生位置情報（例えば、リンク情報またはインデックス情報）、第１デバイス１００が離脱する時点（または、管理サーバ３００が、おすすめアイテムに係わる要請を、第１デバイス１００から受信した時点）で再生していたコンテンツに対応するアプリケーション情報、第１デバイス１００が離脱する時点（または、管理サーバ３００が、おすすめアイテムに係わる要請を、第１デバイス１００から受信した時点）で再生していたコンテンツに係わる付加情報、広告情報などを、管理サーバ３００に伝送することができる（段階４）。
【００８３】
本発明の一実施形態によれば、「Ａ」公共デバイス２００−１は、第１デバイス１００が離脱する時点（または、管理サーバ３００が、おすすめアイテムに係わる要請を、第１デバイス１００から受信した時点）でコンテンツを再生していた画面をキャプチャしたキャプチャイメージ（ラストのスクリーンイメージ）を、管理サーバ３００に伝送することもできる。
【００８４】
管理サーバ３００は、「Ａ」公共デバイス２００−１から受信された情報を利用して、おすすめアイテムを生成することができる（段階５）。例えば、管理サーバ３００は、「Ａ」公共デバイス２００−１から受信されたキャプチャイメージ（ラストのスクリーンイメージ）と、第１デバイス１００が離脱する時点で再生していたコンテンツの再生位置情報（例えば、リンク情報またはインデックス情報）とを利用して、レジュームアイテムを、おすすめアイテムとして生成することができる。また、管理サーバ３００は、「Ａ」公共デバイス２００−１から受信された付加情報を利用して、付加情報アイテムを生成することもでき、「Ａ」公共デバイス２００−１から受信されたアプリケーション情報を利用して、アプリケーション・アイテムを生成することもできる。そのとき、管理サーバ３００は、おすすめアイテムを、サービス利用のための客体（例えば、ガジェット）形態に生成することもでき、リスト形態に生成することもできる。
【００８５】
管理サーバ３００は、生成されたおすすめアイテムを、第１デバイス１００に提供することができる（段階６）。第１デバイス１００は、管理サーバ３００から受信されたおすすめアイテムを、所定画面（例えば、ファーストスクリーン）に表示することができる（段階７）。
【００８６】
従って、本発明の一実施形態によれば、第１デバイス１００を所持したユーザが、公共デバイスで再生されるコンテンツを観覧していて、他の場所に移動する場合、第１デバイス１００は、ユーザに、公共デバイスで再生されるコンテンツに係わるおすすめアイテム（例えば、レジュームアイテム）を提供することができるので、ユーザは、公共デバイスのサービス領域を外れたとしても、公共デバイスに提供されるサービスを続けて利用することができる。
【００８７】
以下では、状況分析（context analysis）を介して、第１デバイス１００のユーザが、第２デバイス２００で再生されるコンテンツに係わる関心度が高い場合、第１デバイス１００の所定画面に、おすすめアイテムを表示する方法について、詳細に説明する。
【００８８】
図４は、本発明の一実施形態に係わる第１デバイスが、状況分析を介して、おすすめアイテムを表示する方法について説明するためのフローチャートである。
【００８９】
段階４０５で、第２デバイス２００は、コンテンツを再生することができる。本発明の一実施形態によるコンテンツは、教育コンテンツ、映画コンテンツ、放送コンテンツ、ゲームコンテンツ、広告コンテンツ、写真コンテンツ、ニュースコンテンツなどがあるが、それらに限定されるものではない。
【００９０】
段階４１０で、第１デバイス１００は、第１デバイス１００で生じるイベント情報を収集することができる。すなわち、第１デバイス１００は、第１デバイス１００で生じる多種のイベントを感知し、感知された多種のイベントに係わる情報を収集することができる。
【００９１】
例えば、第１デバイス１００は、第１デバイス１００の位置情報、またはネットワーク情報（例えば、ＧＰＳ座標情報、cell−ＩＤ情報、Ｗｉ−Ｆｉ ＡＰ情報など）を収集することができる。
【００９２】
また、第１デバイス１００は、ユーザの状態情報を収集することもできる。ユーザの状態情報とは、ユーザの動き、生活パターンなどに係わる情報であり、ユーザの歩き具合、運動する状態、運転中の状態、睡眠状態などに係わる情報が含まれる。例えば、ユーザが、第１デバイス１００を宅内の据え置き台に連結する場合、第１デバイス１００は、第１デバイス１００の位置情報、勾配情報、移動情報、現在時間情報、アラーム設定情報などを考慮し、ユーザが睡眠状態であるということを判断することができる。また、ユーザが、第１デバイス１００を車内の据え置き台に連結する場合、第１デバイス１００は、第１デバイス１００の位置情報、勾配情報、移動情報などを考慮し、ユーザが運転状態であるということを判断することができる。
【００９３】
本発明の一実施形態による第１デバイス１００は、ユーザ入力部を介して入力される内容を収集することもできる。例えば、第１デバイス１００は、タッチスクリーンを介して、ユーザが入力するテキスト、絵、記号などの情報を収集したり、あるいはユーザの音声を認識し、ユーザが音声で入力した内容を収集することができる。
【００９４】
本発明の一実施形態による第１デバイス１００は、送受信メッセージ情報、送受信電子メール情報、通話内訳情報、ＳＮＳ（social networking service）利用情報、ウェブページ利用情報を収集することもできる。例えば、第１デバイス１００は、メッセージまたは電子メールの送受信時刻、送受信メッセージまたは送受信電子メールに含まれた内容、通話内容、通話時刻、通話相手情報、ＳＮＳサーバ接続時刻、ＳＮＳ利用内訳、ＳＮＳサーバから受信した情報、ウェブページ接続時刻、ウェブページ利用内訳などを収集することができるのである。
【００９５】
本発明の一実施形態による第１デバイス１００は、第１デバイス１００内のアプリケーション使用情報を収集することもできる。例えば、第１デバイス１００は、ユーザが家計簿アプリケーションを実行して家計簿を作成する場合、家計簿に記録された支出、収入、投資などに係わる情報を収集することができ、ユーザが、日程管理アプリケーションを実行してスケジュールを入力する場合、ユーザのスケジュール情報を収集することもできる。また、第１デバイス１００は、ユーザが、キャプチャ・アプリケーションを実行してキャプチャしたコンテンツ情報を収集することもでき、音楽再生アプリケーションを介して、ユーザが再生する音楽情報を収集することもできる。
【００９６】
一方、第１デバイス１００は、ユーザがインストールしたり、あるいは使用ないしは検索したアプリケーションの識別情報、アプリケーション種類、アプリケーション利用時間、アプリケーション利用周期などの情報を収集することもできる。また、第１デバイス１００内のモバイルカードを利用してユーザが決済を進める場合、第１デバイス１００は、ユーザの決済情報、消費パターン情報などを収集することもできる。
【００９７】
すなわち、本発明の一実施形態による第１デバイス１００は、第１デバイス１００で生じるイベント情報、第１デバイス１００のユーザに係わる情報などを多様なセンサを介して収集することができるのである。そのとき、本発明の一実施形態による第１デバイス１００は、所定周期でイベント情報を収集することもでき、特定イベント発生時、リアルタイムでイベント情報を収集することもできる。
【００９８】
一方、本発明の一実施形態による第１デバイス１００は、ＳＳＰを介して、イベント情報を収集することにより、イベント情報収集による電力消耗を最小化することもできる。
【００９９】
段階４１５で、第１デバイス１００は、第２デバイス２００のサービス領域からの離脱を感知する。本発明の一実施形態による第１デバイス１００は、収集されたイベント情報に基づいて、第２デバイス２００のサービス領域からの離脱を感知する。
【０１００】
例えば、第１デバイス１００は、第２デバイス２００との通信連結が遮断される場合、第２デバイス２００のサービス領域からの離脱を感知する。
【０１０１】
また、第１デバイス１００は、第２デバイス２００のサービス領域外または境界に存在する外部装置（例えば、ＮＦＣタグ、ＢＬＥタグなど）が認識される場合、第２デバイス２００のサービス領域からの離脱を感知する。
【０１０２】
一方、第１デバイス１００が、第２デバイス２００のサービス領域に係わる情報をあらかじめ保存している場合、第１デバイス１００は、現在位置情報を利用して、第２デバイス２００のサービス領域から外れることを感知することもできる。段階４１５は、段階２１０に対応するので、具体的な説明は省略する。
【０１０３】
段階４２０で、第１デバイス１００は、収集されたイベント情報に基づいて、第２デバイス２００で再生されるコンテンツに係わる第１デバイス１００ユーザの関心度を算出することができる。本発明の一実施形態によれば、第１デバイス１００は、ユーザの入力情報、ユーザの状態情報、現在位置情報、事前購入内訳情報などに基づいて、第２デバイス２００で再生されるコンテンツに係わる第１デバイス１００ユーザの関心度を算出することができる。
【０１０４】
例えば、第１デバイス１００のユーザが、第１デバイス１００を利用して、第２デバイス２００、または第２デバイス２００のサービス領域について、チェックインする場合、第１デバイス１００は、第２デバイス２００で再生されるコンテンツに係わる第１デバイス１００ユーザの関心度を高く算出することができる。
【０１０５】
一方、本発明の一実施形態による第１デバイス１００は、第１デバイス１００のユーザが、第２デバイス２００で再生されるコンテンツを観覧していた確率を算出することにより、第２デバイス２００で再生されるコンテンツに係わる第１デバイス１００ユーザの関心度を算出することができる。
【０１０６】
そのとき、第１デバイス１００は、ユーザの状態情報、現在位置情報、第１デバイス１００で実行されるアプリケーション情報などに基づいて、第１デバイス１００のユーザが、第２デバイス２００で再生されるコンテンツを観覧していた確率を算出することができる。
【０１０７】
例えば、第１デバイス１００のユーザが、第２デバイス２００で提供されるデータを第１デバイス１００にダウンロードしたり、あるいは第２デバイス２００で再生されるコンテンツを、ＳＮＳを介して、他のユーザに勧めるための推薦情報を、第１デバイス１００に入力する場合、第１デバイス１００は、ユーザが、第２デバイス２００で再生されるコンテンツを観覧していた確率を高く算出する（例えば、９５％）。
【０１０８】
また、第１デバイス１００のユーザが、第２デバイス２００のサービス領域に所定時間以上留まり、留まる間、第１デバイス１００を操作する回数または時間が、所定基準未満である場合、第１デバイス１００のユーザが、第２デバイス２００で再生されるコンテンツを観覧していた確率が高いのである。
【０１０９】
すなわち、第１デバイス１００は、第１デバイス１００の位置が、第２デバイス２００のサービス領域内で、所定時間以上変動がなく、ユーザの入力が所定時間以上感知されない場合、ユーザが、第２デバイス２００で再生されるコンテンツを観覧していた確率を高く算出する（例えば、９０％）。
【０１１０】
一方、第１デバイス１００は、第２デバイス２００のサービス領域内に、第１デバイス１００が所定時間以上位置しているとしても、第２デバイス２００のサービス領域内に位置する間、第１デバイス１００のユーザから、第２デバイス２００で再生されるコンテンツと係わりのないアプリケーションに係わる実行要請を受信する場合、第１デバイス１００は、第１デバイス１００のユーザが、第２デバイス２００で再生されるコンテンツを観覧していた確率を低く算出する（例えば、３０％）。そのとき、第２デバイス２００は、第２デバイス２００で再生されるコンテンツに係わる情報をブロードキャストしている。
【０１１１】
本発明の一実施形態によれば、第１デバイス１００は、カメラを介して、ユーザの目をセンシングすることにより、ユーザが、第２デバイス２００で再生されるコンテンツを観覧していた確率を算出することもできる。
【０１１２】
例えば、第１デバイス１００がユーザの目をセンシングした結果、ユーザが、第１デバイス１００の画面を続けて注視している場合、第１デバイス１００は、第１デバイス１００のユーザが、第２デバイス２００で再生されるコンテンツを観覧していた確率を低く算出する（例えば、１０％）。一方、第１デバイス１００が、ユーザの目をセンシングした結果、ユーザが、第１デバイス１００の画面を注視していない場合、第１デバイス１００は、第１デバイス１００のユーザが、第２デバイス２００で再生されるコンテンツを観覧していた確率を７０％以上に算出することができる。
【０１１３】
また、第１デバイス１００のユーザが、第１デバイス１００を利用して、映画チケットを購入した内訳が存在し、チケットを購入した映画が上映される時間に、当該劇場に第１デバイス１００が位置する場合、第１デバイス１００は、ユーザが、第２デバイス２００（例えば、映画スクリーン装置）で再生される映画コンテンツを観覧していた確率を高く算出する（例えば、９８％）。
【０１１４】
例えば、ユーザが、第１デバイス１００を利用して、２０１３．３．１．午後５時に、ＸＸ劇場で上映するＯＯ映画のチケットを事前購入したり、あるいは事前購入された映画チケットをサーバからダウンロードした場合、第１デバイス１００は、映画事前購入イベントに係わる情報を収集及び分析することができる。そして、第１デバイス１００が、２０１３．３．１．午後６時３０分にＸＸ劇場を離れる場合、第１デバイス１００は、ユーザがＯＯ映画を観覧した確率を高く算出する（例えば、９９．９％）。本発明の一実施形態によれば、第１デバイス１００は、オントロジー（ontology）に基づいて収集されたイベント情報分析を行うことにより、第２デバイス２００で再生されるコンテンツに係わる第１デバイス１００ユーザの関心度情報を獲得することもできる。
【０１１５】
オントロジーは、共有された概念化（shared conceptualization）に係わる定型化されて明示的な明細（formal and explicit specification）を意味する。オントロジーは、単語と関係とから構成された一種の辞書とも見ることができ、その中には、特定ドメインに係わる単語が階層的に表現されており、追加してそれを拡張することができる推論規則が含まれている。
【０１１６】
本発明の一実施形態による第１デバイス１００は、ユーザから入力されるテキストや音声を、オントロジーに基づいて分析することができる。すなわち、第１デバイス１００は、オントロジーに基づいて、ユーザから入力されるテキスト／音声と、第２デバイス２００で再生されるコンテンツとの相関度情報を獲得することができる。そのとき、第２デバイス２００は、第２デバイス２００で再生されるコンテンツに係わる情報をブロードキャストしている。ユーザから入力されるテキスト／音声と、第２デバイス２００で再生されるコンテンツとの相関度情報に基づいて、第１デバイス１００は、第２デバイス２００で再生されるコンテンツに係わる第１デバイス１００ユーザの関心度を算出することができる。
【０１１７】
例えば、第２デバイス２００では、ＯＯＯアニメーションが上映され、第１デバイス１００は、第２デバイス２００からＯＯＯアニメーションに係わる情報（例えば、コンテンツの種類、コンテンツ名、コンテンツの再生位置、場面情報など）を受信することができる。そのとき、第１デバイス１００は、マイクロホンを介して収集されるユーザの音声を分析してキーワードを抽出し、抽出されたキーワードと、第２デバイス２００から受信されたＯＯＯアニメーションに係わる情報との相関度を、オントロジーに基づいて算出することができる。
【０１１８】
もし第１デバイス１００のユーザが友達との対話（または、通話）中、ＯＯＯアニメーションに係わる単語を多く言及した場合、第１デバイス１００は、第２デバイス２００で再生されるＯＯＯアニメーションに係わるユーザの関心度が高いと判断することができる。
【０１１９】
段階４２５で、第１デバイス１００は、第２デバイス２００で再生されるコンテンツに係わる第１デバイス１００ユーザの関心度が所定値以上であるか否か（例えば、第１デバイス１００のユーザが、第２デバイス２００で再生されるコンテンツを観覧していた確率が８５％以上）を判断することができる。所定値は、第１デバイス１００で設定した値でもあり、ユーザが設定した値でもあり、管理サーバ３００が設定した値でもある。
【０１２０】
一方、本発明の一実施形態によれば、所定状況で、第１デバイス１００は、第２デバイス２００で再生されるコンテンツに係わる第１デバイス１００ユーザの関心度を算出する過程なしに、関心度が所定値以上であると推定する（あるいは、見なす）こともできる。
【０１２１】
例えば、第１デバイス１００に、第２デバイス２００で再生されるコンテンツに係わる観覧券購入内訳が存在したり、あるいは第２デバイス２００のサービス領域に、チェックインした記録が存在する場合、第１デバイス１００は、第２デバイス２００で再生されるコンテンツに係わる第１デバイス１００ユーザの関心度が、所定値以上であると判断することができる。
【０１２２】
すなわち、第１デバイス１００のユーザが、意図的に観覧券を購入した場合、第２デバイス２００で再生されるコンテンツに係わる第１デバイス１００ユーザの関心度が高いと解釈される。従って、第１デバイス１００は、第２デバイス２００で再生されるコンテンツを、第１デバイス１００のユーザが観覧した確率を特別に算出しないこともある。
【０１２３】
段階４３０で、第１デバイス１００は、が第２デバイス２００で再生されるコンテンツに係わる第１デバイス１００ユーザの関心度が所定値以上である場合、第２デバイス２００で再生されるコンテンツに係わるおすすめアイテムを、管理サーバ３００に要請することができる。例えば、第１デバイス１００は、第１デバイス１００のユーザが、第２デバイス２００で再生されるコンテンツを観覧していた確率が８５％以上である場合、おすすめアイテムを、管理サーバ３００に要請することができる。
【０１２４】
そのとき、第１デバイス１００は、第１デバイス１００の位置情報、第２デバイス２００の位置情報、第２デバイス２００の識別情報、コンテンツの再生位置情報、及びコンテンツのリンク情報のうち少なくとも一つを管理サーバ３００に伝送しながら、おすすめアイテムを要請することができる。
【０１２５】
一方、第１デバイス１００は、第２デバイス２００で再生されるコンテンツに係わる第１デバイス１００ユーザの関心度が、所定値未満である場合、管理サーバ３００におすすめアイテムを要請しないこともある。
【０１２６】
段階４３５で、管理サーバ３００は、おすすめアイテムを生成するために、第１デバイス１００の離脱時点で第２デバイス２００で再生されるコンテンツに係わる情報を、第２デバイス２００に要請することができる。
【０１２７】
段階４４０で、第２デバイス２００は、管理サーバ３００の要請に応答し、第１デバイス１００の離脱時点で再生中であったコンテンツに係わる情報を、管理サーバ３００に伝送することができる。
【０１２８】
例えば、第２デバイス２００は、第１デバイス１００が離脱する時点でコンテンツを再生していた画面をキャプチャし、キャプチャされたイメージ（ラストのスクリーンイメージ）を、管理サーバ３００に伝送することができる。また、第２デバイス２００は、第１デバイス１００が離脱する時点で再生していたコンテンツの再生位置情報（例えば、リンク情報またはインデックス情報）、第１デバイス１００が離脱する時点で再生していたコンテンツに対応するアプリケーション情報、第１デバイス１００が離脱する時点で再生していたコンテンツに係わる付加情報、広告情報などを管理サーバ３００に伝送することができる。
【０１２９】
段階４４５で、管理サーバ３００は、コンテンツに係わるおすすめアイテムを生成することができる。例えば、管理サーバ３００は、第２デバイス２００から受信されたキャプチャイメージ（ラストのスクリーンイメージ）と、再生位置情報（例えば、リンク情報またはインデックス情報）とを利用して、レジュームアイテムを、おすすめアイテムとして生成することができる。また、管理サーバ３００は、第２デバイス２００から受信された付加情報を利用して、付加情報アイテムを生成することもでき、第２デバイス２００から受信されたアプリケーション情報を利用して、アプリケーション・アイテムを生成することもできる。そのとき、管理サーバ３００は、おすすめアイテムを、サービス利用のための客体（例えば、ガジェット）形態に生成することもでき、リスト形態に生成することもできる。
【０１３０】
段階４５０で、管理サーバ３００は、おすすめアイテムを、第１デバイス１００に提供することができる。本発明の一実施形態によれば、管理サーバ３００は、有無線通信を介して、おすすめアイテムを、第１デバイス１００に伝送することができる。
【０１３１】
段階４５５で、第１デバイス１００は、おすすめアイテムを、所定画面に表示することができる。そのとき、本発明の一実施形態による第１デバイス１００は、ユーザのコンテクスト情報を考慮し、おすすめアイテムを所定画面に表示することができる。
【０１３２】
例えば、ユーザから、おすすめアイテムを要請するジェスチャが感知される場合、第１デバイス１００は、おすすめアイテムを、所定画面に表示することができる。おすすめアイテムを要請するジェスチャは、多様である。
【０１３３】
また、第１デバイス１００は、照度情報、勾配情報などに基づいて、おすすめアイテムを所定画面に表示することもできる。例えば、第１デバイス１００は、照度が所定値より低い場合、おすすめアイテムを所定画面に表示せず、照度が所定値以上である場合、おすすめアイテムを所定画面に表示することができる。
【０１３４】
すなわち、第１デバイス１００のユーザが、第１デバイス１００をポケットの中に入れていたり、あるいは第１デバイス１００を手にしていない場合、ユーザが、おすすめアイテムを提供されようとする意思がほとんどないと見られる。従って、第１デバイス１００は、照度情報または勾配情報に基づいて、おすすめアイテムを所定画面に表示しないこともある。
【０１３５】
一方、ユーザが、第２デバイス２００のサービス領域からの離脱時、第１デバイス１００を手にして画面を注視している場合、第１デバイス１００は、第２デバイス２００で再生されるコンテンツに係わるおすすめアイテムを、第１デバイス１００の所定画面に表示することができる。
【０１３６】
従って、本発明の一実施形態によれば、第１デバイス１００は、ユーザのコンテクスト情報を考慮し、ユーザが、おすすめアイテムが要求しなかったり、あるいはユーザが、おすすめアイテムを見出すことができないという状況である場合、所定画面に、おすすめアイテムを表示しないこともある。
【０１３７】
本発明の一実施形態による第１デバイス１００は、ユーザが指定した方式によって、おすすめアイテムを表示することもある。例えば、第１デバイス１００は、おすすめアイテムをポップアップ・ウィンドー形態にも提供し、特定ページに、おすすめアイテムを表示することもある。
【０１３８】
本発明の一実施形態によれば、第１デバイス１００は、現在位置を基準に、所定半径内で過去訪問した第２デバイス２００のサービス領域を検索することができる。過去訪問した第２デバイス２００のサービス領域が検索される場合、第１デバイス１００は、過去第２デバイス２００で再生されたコンテンツに係わるおすすめアイテムを抽出し、所定画面に表示することも可能である。
【０１３９】
例えば、第１デバイス１００が、現在位置するデパート脇の建物に、第１デバイス１００のユーザが一ヵ月前に訪問したギャラリーが存在する場合、第１デバイス１００は、一ヵ月前にギャラリーで観覧したコンテンツに係わるおすすめアイテムを、メモリから抽出して所定画面に表示することができる。
【０１４０】
すなわち、本発明の一実施形態によれば、第１デバイス１００は、ユーザ近くに、過去に訪問したサービス領域が存在し、当該サービス領域で、ユーザがコンテンツを観覧した場合、過去ユーザが観覧したコンテンツに係わるおすすめアイテムを提供することができる。
【０１４１】
段階４５５は、図２の段階２４０に対応するので、重複する部分に係わる具体的な説明は省略する。
【０１４２】
本発明の一実施形態によれば、第１デバイス１００は、状況分析を介して、公共デバイスで再生される多くのコンテンツのうち、ユーザが観覧した可能性が高いコンテンツに係わるおすすめアイテムを提供することができる。従って、必要以上に多くのおすすめアイテムが、第１デバイス１００を介して、ユーザに提供されることを防止することができる。
【０１４３】
本発明の具現例によって、段階４０５ないし段階４５５は、順序が変更されもし、一部段階が省略されもする。
【０１４４】
図５は、本発明の一実施形態に係わる管理サーバが、おすすめアイテムを提供する方法について説明するためのフローチャートである。
【０１４５】
段階５０５で、第２デバイス２００は、コンテンツを再生することができる。そのとき、第１デバイス１００は、第２デバイス２００のサービス領域内に位置することができる。
【０１４６】
段階５１０で、第１デバイス１００は、第１デバイス１００で生じるイベント情報を収集することができる。すなわち、第１デバイス１００は、第１デバイス１００で生じる多種のイベントを感知し、感知された多種のイベントに係わる情報を収集することができる。例えば、第１デバイス１００は、第１デバイス１００の位置情報、ネットワーク情報、ユーザの状態情報、送受信メッセージ情報、送受信電子メール情報、通話内訳情報、ＳＮＳ利用情報、アプリケーション使用情報、ウェブページ利用情報、決済情報などを収集することができる。
【０１４７】
段階５１５で、第１デバイス１００は、収集されたイベント情報を、管理サーバ３００に伝送することができる。第１デバイス１００は、収集されたイベント情報を、いずれも管理サーバ３００に伝送することもでき、一部イベント情報のみを、管理サーバ３００に伝送することもできる。例えば、第１デバイス１００は、ユーザから入力される個人金融情報（銀行口座、カード番号など）、認証情報（個人パスワード、暗号化キーなど）などは、管理サーバ３００に伝送しない。
【０１４８】
本発明の一実施形態による第１デバイス１００は、所定周期で、イベント情報を管理サーバ３００に伝送することもでき、特定イベントが発生する場合、イベント情報を伝送することもできる。一方、第１デバイス１００は、イベント情報を、打ち合わせ済みの暗号化コードで暗号化し、管理サーバ３００に伝送することもできる。
【０１４９】
段階５２０で、第１デバイス１００は、第２デバイス２００のサービス領域からの離脱を感知する。そのとき、段階５２５で、第１デバイス１００は、第２デバイス２００で再生されるコンテンツに係わるおすすめアイテムを、管理サーバ３００に要請することができる。すなわち、管理サーバ３００は、第１デバイス１００が、コンテンツを再生する第２デバイス２００のサービス領域から離脱する場合、第１デバイス１００から、おすすめアイテムの要請を受信することができる。
【０１５０】
段階５３０で、管理サーバ３００は、第２デバイス２００で再生されるコンテンツに係わる第１デバイス１００ユーザの関心度を算出することができる。例えば、第１デバイス１００のユーザが、第１デバイス１００を利用して、第２デバイス２００、または第２デバイス２００のサービス領域について、チェックインする場合、管理サーバ３００は、第１デバイス１００からチェックイン情報を受信することができる。そのとき、管理サーバ３００は、第２デバイス２００で再生されるコンテンツに係わる第１デバイス１００ユーザの関心度を高く算出することができる。
【０１５１】
一方、本発明の一実施形態による管理サーバ３００は、第１デバイス１００のユーザが、第２デバイス２００で再生されるコンテンツを観覧していた確率を、第１デバイス１００で収集されるイベント情報に基づいて算出することにより、第２デバイス２００で再生されるコンテンツに係わる第１デバイス１００ユーザの関心度を算出することができる。
【０１５２】
そのとき、本発明の一実施形態による、管理サーバ３００は、第１デバイス１００から受信されるユーザの入力情報、ユーザの状態情報、現在位置情報、事前購入内訳情報などに基づいて、第１デバイス１００のユーザが、第２デバイス２００で再生されるコンテンツを観覧していた確率を算出することができる。
【０１５３】
例えば、第１デバイス１００のユーザが、第２デバイス２００で提供されるデータを、第１デバイス１００にダウンロードしたり、あるいは第２デバイス２００で再生されるコンテンツを、他のユーザに勧めるための推薦情報を、第１デバイス１００に入力するというようなイベント情報が、第１デバイス１００から受信される場合、管理サーバ３００は、ユーザが、第２デバイス２００で再生されるコンテンツを観覧していた確率を高く算出する（例えば、９５％）。
【０１５４】
また、第１デバイス１００の位置が、第２デバイス２００のサービス領域内で、所定時間以上変動がなく、ユーザの入力が、所定時間以上感知されない場合、管理サーバ３００は、ユーザが、第２デバイス２００で再生されるコンテンツを観覧していた確率を高く算出する（例えば、９０％）。
【０１５５】
一方、第１デバイス１００が、第２デバイス２００のサービス領域内に、所定時間以上位置しているとしても、第２デバイス２００のサービス領域内に位置する間、第１デバイス１００のユーザが、第１デバイス１００を利用して、第２デバイス２００で再生されるコンテンツと係わりのない作業を行う場合、管理サーバ３００は、第１デバイス１００のユーザが、第２デバイス２００で再生されるコンテンツを観覧していた確率を低く算出する（例えば、３０％）。
【０１５６】
また、第１デバイス１００のユーザが、第１デバイス１００を利用して、映画チケットを購入した内訳が存在し、第１デバイス１００が、映画が上映される間、劇場に位置する場合、管理サーバ３００は、ユーザが、第２デバイス２００（例えば、映画スクリーン装置）で再生される映画コンテンツを観覧していた確率を高く算出する（例えば、９８％）。
【０１５７】
本発明の一実施形態によれば、管理サーバ３００は、第１デバイス１００で、カメラを介してユーザの目をセンシングした情報に基づいて、ユーザが、第２デバイス２００で再生されるコンテンツを観覧していた確率を算出することもできる。
【０１５８】
一方、本発明の一実施形態によれば、管理サーバ３００は、オントロジーに基づいて、第１デバイス１００で収集されたイベント情報分析を行うことにより、第２デバイス２００で再生されるコンテンツに係わる第１デバイス１００ユーザの関心度情報を獲得することもできる。
【０１５９】
例えば、管理サーバ３００は、オントロジーに基づいて、第１デバイス１００のユーザから入力されるテキスト／音声と、第２デバイス２００で再生されるコンテンツとの相関度情報を獲得することができる。そのとき、管理サーバ３００は、ユーザから入力されるテキスト／音声と、第２デバイス２００で再生されるコンテンツとの相関度情報に基づいて、第２デバイス２００で再生されるコンテンツに係わる第１デバイス１００ユーザの関心度を算出することができる。
【０１６０】
段階５３５で、管理サーバ３００は、第２デバイス２００で再生されるコンテンツに係わる第１デバイス１００ユーザの関心度が、所定値以上であるか否か（例えば、第１デバイス１００のユーザが、第２デバイス２００で再生されるコンテンツを観覧していた確率が８５％以上）を判断することができる。所定値は、ユーザが設定した値でもあり、管理サーバ３００が設定した値でもある。
【０１６１】
一方、本発明の一実施形態によれば、所定状況で、管理サーバ３００は、第２デバイス２００で再生されるコンテンツに係わる第１デバイス１００ユーザの関心度を算出する過程なしに、関心度が所定値以上であると推定する（または、みなす）こともできる。
【０１６２】
例えば、第２デバイス２００で再生されるコンテンツに係わる第１デバイス１００ユーザの観覧券購入内訳が存在したり、あるいは第２デバイス２００のサービス領域に、第１デバイス１００がチェックインした記録が存在する場合、管理サーバ３００は、第２デバイス２００で再生されるコンテンツに係わる第１デバイス１００ユーザの関心度が所定値以上であると判断することができる。
【０１６３】
段階５４０で、管理サーバ３００は、第２デバイス２００で再生されるコンテンツに係わる第１デバイス１００ユーザの関心度が所定値以上である場合、第２デバイス２００で再生されるコンテンツに係わる情報を、第２デバイス２００に要請することができる。そのとき、本発明の一実施形態によれば、管理サーバ３００は、第１デバイス１００が、第２デバイス２００のサービス領域から離脱する時点に係わる情報を、第２デバイス２００に伝送することができる。
【０１６４】
段階５４５で、管理サーバ３００は、第２デバイス２００から、コンテンツに係わる情報を受信することができる。例えば、管理サーバ３００は、第１デバイス１００の離脱時点で第２デバイス２００で再生されるコンテンツのイメージをキャプチャしたキャプチャイメージ情報、第１デバイス１００の離脱時点で第２デバイス２００で再生されるコンテンツの再生位置に係わる再生位置情報、コンテンツに対応するアプリケーション情報、コンテンツに係わる付加情報、及びコンテンツに対応する広告情報のうち少なくとも一つを第２デバイス２００から受信することができる。
【０１６５】
段階５５０で、管理サーバ３００は、第２デバイス２００から受信されたコンテンツに係わる情報に基づいて、第１デバイス１００の離脱時点で第２デバイス２００で再生中であるコンテンツに係わるおすすめアイテムを生成することができる。
【０１６６】
例えば、管理サーバ３００は、第１デバイス１００の離脱時点で、第２デバイス２００の画面をキャプチャしたキャプチャイメージ情報、及び第１デバイス１００の離脱時点で第２デバイス２００で再生中であったコンテンツの再生位置情報（例えば、タイムスタンプ情報、インデックス情報など）を利用して、レジュームアイテムを生成することができる。
【０１６７】
段階５５５で、管理サーバ３００は、生成されたおすすめアイテムを、第１デバイス１００に伝送することができる。そのとき、本発明の一実施形態による第１デバイス１００は、おすすめアイテムをメモリに保存することができる。
【０１６８】
段階５６０で、第１デバイス１００は、ユーザのおすすめアイテム要請ジェスチャを感知する。例えば、第１デバイス１００は、ユーザが、特定ボタン（例えば、ホームボタン）を押すか、画面の特定領域をタッチするか、あるいはロッキングを解除するというような、おすすめアイテム要請ジェスチャを感知する。
【０１６９】
段階５６５で、第１デバイス１００は、ユーザのおすすめアイテム要請ジェスチャが感知される場合、管理サーバ３００から受信されたおすすめアイテムを、所定画面に表示することができる。本発明の一実施形態による所定画面は、ファーストスクリーンでもある。
【０１７０】
本発明の具現例によって、段階５０５ないし段階５６５は、順序が変更され、一部段階が省略されもする。例えば、具現例によって、段階５３０及び段階５３５が、段階５４５の次に進められ、段階５３０及び段階５３５が、段階５５０の次に進められもする。
【０１７１】
以下では、管理サーバ３００を介さずに、第１デバイス１００が、第２デバイス２００からおすすめアイテムを受信し、所定画面に表示する方法について、図６ないし図８を参照して詳細に説明する。
【０１７２】
図６は、本発明の他の実施形態に係わる第１デバイスのおすすめアイテム表示方法について説明するための図面である。
【０１７３】
段階６１０で、本発明の一実施形態による第２デバイス２００は、コンテンツを再生することができる。そのとき、第２デバイス２００のサービス領域６００内に、第１デバイス１００が位置する。本発明の一実施形態によるサービス領域６００は、第２デバイス２００が、第１デバイス１００と通信することができる通信領域、または第１デバイス１００のユーザが、第２デバイス２００で再生されるコンテンツを直接観覧することができる観覧領域でもある。
【０１７４】
段階６２０で、第１デバイス１００は、第２デバイス２００で再生されるコンテンツに係わるおすすめアイテムを、第２デバイス２００に要請することができる。そのとき、本発明の一実施形態による第１デバイス１００は、第１デバイス１００が、第２デバイス２００のサービス領域６００内に、所定時間（例えば、５分）以上位置する場合、第２デバイス２００におすすめアイテムを要請することもできる。
【０１７５】
例えば、第１デバイス１００が、近距離通信を介して、所定時間以上、第２デバイスからブロードキャスティングされる信号を受信する場合、第１デバイス１００は、第２デバイス２００で再生中であるコンテンツに係わるおすすめアイテムを要請することができる。また、第１デバイス１００が、バス乗車用ＮＦＣ端末を認識した後、所定時間（例えば、３分）が経過した場合、第１デバイス１００は、バス内に存在するディスプレイ装置である第２デバイス２００に再生中であるコンテンツに係わるおすすめアイテムを要請することもできる。
【０１７６】
段階６３０で、第２デバイス２００は、再生中であるコンテンツに係わるおすすめアイテムを生成することができる。本発明の一実施形態による第２デバイス２００は、おすすめアイテムに係わる要請が受信される時点で、リアルタイムで、おすすめアイテムを生成することができる。例えば、第２デバイス２００は、要請が受信される時点でコンテンツを再生する画面をキャプチャすることができる。そして、第２デバイス２００は、キャプチャ時に再生中であるコンテンツの再生位置を示す再生位置情報を、キャプチャイメージに連結し、レジュームアイテムを生成することができる。
【０１７７】
一方、第２デバイス２００は、第１デバイス１００のおすすめアイテム要請が受信される前に、再生中であるコンテンツに係わるおすすめアイテムを、あらかじめ生成しておくこともできる。その場合、本発明の一実施形態による第２デバイス２００は、第１デバイス１００のおすすめアイテム要請が受信される場合、再生中であるコンテンツに係わるおすすめアイテムをメモリから抽出することができる。
【０１７８】
段階６４０で、第２デバイス２００は、再生中であるコンテンツに係わるおすすめアイテムを、第１デバイス１００に提供することができる。例えば、第２デバイス２００は、レジュームアイテム、アプリケーション・アイテム、付加情報アイテム、及び広告アイテムのうち少なくとも一つを、近距離通信を介して、第１デバイス１００に伝送することができる。
【０１７９】
本発明の一実施形態による第２デバイス２００は、おすすめアイテムを伝送した後、おすすめアイテムが更新される場合、更新されたおすすめアイテムを、第１デバイス１００に伝送することもできる。例えば、レジュームアイテムの場合、経間的にコンテンツの再生位置が変更されるので、第２デバイス２００は、変化するコンテンツの再生位置によってレジュームアイテムを更新し、更新されたレジュームアイテムを、第１デバイス１００に伝送することができるのである。一方、第２デバイス２００は、第１デバイス１００から、おすすめアイテムに係わる要請が受信される場合、所定周期で、おすすめアイテムを伝送することができる。
【０１８０】
本発明の一実施形態による第１デバイス１００は、第２デバイス２００で生成されたコンテンツに係わるおすすめアイテムを、第２デバイス２００から受信することができる。
【０１８１】
段階６５０で、第１デバイス１００は、第２デバイス２００から受信されたおすすめアイテムを、メモリに保存することができる。そのとき、第１デバイス１００が、第２デバイス２００のサービス領域６００内に位置するので、第１デバイス１００は、第２デバイス２００から受信されたおすすめアイテムをメモリに保存だけをしておき、所定画面に表示しないこともある。
【０１８２】
段階６６０で、第１デバイス１００は、第２デバイス２００のサービス領域６００から、第１デバイス１００の離脱を感知する。その場合、段階６７０で、第１デバイスは、おすすめアイテムを、第１デバイス１００の所定画面に表示することができる。
【０１８３】
すなわち、第１デバイス１００は、第２デバイス２００のサービス領域６００内に位置する間は、第２デバイス２００から受信されたおすすめアイテムを画面に表示せず、第２デバイス２００のサービス領域６００から外れる場合、第２デバイス２００で再生されるコンテンツに係わるおすすめアイテムを、所定画面に表示することができるのである。本発明の具現例により、段階６１０ないし段階６７０の順序が変更されることもあり、一部段階が省略されもする。例えば、第２デバイス２００で、おすすめアイテムを、所定周期でブロードキャストする場合、第１デバイス１００が、第２デバイス２００におすすめアイテムを要請する段階が不要なこともある。
【０１８４】
図７を参照し、管理サーバ３００を介さずに、第１デバイス１００と第２デバイス２００とがおすすめアイテムを提供する方法について説明する。
【０１８５】
図７は、本発明の他の実施形態に係わる第１デバイスのおすすめアイテム表示方法について説明するためのフローチャートである。
【０１８６】
段階７１０で、第１デバイス１００と第２デバイス２００は、通信で連結される。例えば、第１デバイス１００と第２デバイス２００は、無線ＬＡＮ（Ｗｉ−Ｆｉ）、ブルートゥース、ＮＦＣ、ジグビー、ＷＦＤ、ＵＷＢのような近距離通信網で連結される。
【０１８７】
段階７２０で、第２デバイス２００は、コンテンツを再生することができる。本発明の一実施形態によるコンテンツは、教育コンテンツ、映画コンテンツ、放送コンテンツ、ゲームコンテンツ、広告コンテンツ、写真コンテンツ、ニュースコンテンツなどがあるが、それらに限定されるものではない。
【０１８８】
本発明の具現例によって、段階７１０並びに段階７２０の順序は、変更可能である。すなわち、第２デバイス２００は、第１デバイス１００と通信が連結された状態で、コンテンツを再生することもでき、コンテンツを再生した後、第１デバイス１００と通信連結される。
【０１８９】
段階７３０で、第１デバイス１００は、第１デバイス１００で収集されるイベント情報に基づいて、第２デバイス２００で再生されるコンテンツに係わる第１デバイス１００ユーザの関心度を算出することができる。例えば、第１デバイス１００は、ユーザの入力情報、ユーザの状態情報、現在位置情報、事前購入内訳情報などに基づいて、ユーザが、第２デバイス２００で再生されるコンテンツを観覧していた確率を算出することにより、第２デバイス２００で再生されるコンテンツに係わる第１デバイス１００ユーザの関心度を算出することができる。段階７３０は、図４の段階４２０に対応するので、具体的な説明は省略する。
【０１９０】
段階７４０で、第１デバイス１００は、第２デバイス２００で再生されるコンテンツに係わる第１デバイス１００ユーザの関心度が、所定値（例えば、第１デバイス１００のユーザが、第２デバイス２００で再生されるコンテンツを観覧していた確率が８５％）以上であるか否かを判断することができる。所定値は、第１デバイス１００で設定した値でもあり、ユーザが設定した値でもある。
【０１９１】
段階７４０は、図４の段階４２５に対応するので、具体的な説明は省略する。
【０１９２】
段階７５０で、第１デバイス１００は、第２デバイス２００で再生されるコンテンツに係わる第１デバイス１００ユーザの関心度が、所定値以上である場合、おすすめアイテムを、第２デバイス２００に要請することができる。例えば、第１デバイス１００は、第１デバイス１００のユーザが、第２デバイス２００で再生されるコンテンツを観覧していた確率が８５％以上である場合、再生中であるコンテンツに係わるおすすめアイテムを、第２デバイス２００に要請することができる。
【０１９３】
一方、第１デバイス１００は、第１デバイス１００のユーザが、第２デバイス２００で再生されるコンテンツを観覧していた確率が所定値未満である場合、第２デバイス２００に、おすすめアイテムを要請しないこともある。
【０１９４】
一方、本発明の一実施形態によれば、所定状況で、第１デバイス１００は、第２デバイス２００で再生されるコンテンツに係わる第１デバイス１００ユーザの関心度を算出する過程なしに、関心度が所定値以上であると推定する（または、見なす）。その場合、第１デバイス１００は、第２デバイス２００におすすめアイテムを要請することができる。
【０１９５】
例えば、第１デバイス１００に、第２デバイス２００で再生されるコンテンツに係わる観覧券購入内訳が存在したり、あるいは第２デバイス２００のサービス領域に、チェックインした記録が存在する場合、第１デバイス１００は、第２デバイス２００で再生されるコンテンツに係わる第１デバイス１００ユーザの関心度が所定値以上であると判断し、第２デバイス２００に、おすすめアイテムを要請することができる。
【０１９６】
段階７６０で、第２デバイス２００は、再生中であるコンテンツに係わるおすすめアイテムを生成することができる。例えば、第２デバイス２００は、画面をキャプチャしたキャプチャイメージ（ラストのスクリーンイメージ）と、コンテンツの再生位置情報（例えば、リンク情報またはインデックス情報）とを利用して、レジュームアイテムを生成することができる。また、第２デバイス２００は、再生中であるコンテンツの付加情報を利用して、付加情報アイテムを生成することもでき、再生中であるコンテンツに対応するアプリケーション情報を利用して、アプリケーション・アイテムを生成することもできる。そのとき、第２デバイス２００は、おすすめアイテムを「サービス利用のための客体」形態に生成することもでき、リスト形態に生成することもできる。
【０１９７】
段階７７０で、第１デバイス１００は、おすすめアイテムを受信することができる。本発明の一実施形態によれば、第１デバイス１００は、所定周期で、おすすめアイテムを、第２デバイス２００から受信することもできる。
【０１９８】
段階７８０で、第１デバイス１００は、第２デバイス２００のサービス領域からの離脱を感知する。もし第１デバイス１００が、第２デバイス２００のサービス領域から離脱していない場合、第１デバイス１００は、おすすめアイテムを、所定画面に表示せず、また第２デバイス２００に、おすすめアイテムを要請して受信することができる（段階７５０ないし段階７７０を反復）。
【０１９９】
段階７９０で、第１デバイス１００は、第２デバイス２００のサービス領域からの離脱が感知される場合、第２デバイス２００で再生されるコンテンツに係わるおすすめアイテムを、所定画面に表示することができる。一方、第１デバイス１００が、所定周期でおすすめアイテムを受信する場合、第１デバイス１００は、第２デバイス２００のサービス領域からの離脱を感知する前に、最後に受信されたおすすめアイテムを、所定画面に表示することができる。本発明の一実施形態による所定画面は、ファーストスクリーンを含んでもよい。
【０２００】
すなわち、本発明の一実施形態によれば、状況分析を介して、第１デバイス１００のユーザが、第２デバイス２００で再生されるコンテンツを観覧している確率が高い場合にのみ、第２デバイス２００で再生されるコンテンツに係わるおすすめアイテムを、第２デバイス２００に要請することができるのである。
【０２０１】
一方、本発明の一実施形態によれば、第１デバイス１００は、コンテクスト情報を考慮し、おすすめアイテムを所定画面に表示することができる。
【０２０２】
例えば、ユーザからおすすめアイテムを要請するジェスチャが感知される場合、第１デバイス１００は、おすすめアイテムを、所定画面に表示することができる。おすすめアイテムを要請するジェスチャは、多様である。
【０２０３】
また、第１デバイス１００は、照度情報、勾配情報などに基づいて、おすすめアイテムを、所定画面に表示することもできる。例えば、第１デバイス１００は、照度が所定値より低い場合、おすすめアイテムを所定画面に表示せず、照度が所定値以上である場合、おすすめアイテムを所定画面に表示することができる。
【０２０４】
すなわち、第１デバイス１００のユーザが、第１デバイス１００をポケットの中に入れていたり、あるいは第１デバイス１００を手にしていない場合、ユーザが、おすすめアイテムを提供されようとする意思がほとんどないと見られる。従って、第１デバイス１００は、照度情報または勾配情報に基づいて、おすすめアイテムを所、定画面に表示しないこともある。
【０２０５】
一方、ユーザが、第２デバイス２００のサービス領域からの離脱時、第１デバイス１００を手にして画面を注視している場合、第１デバイス１００は、第２デバイス２００で再生されるコンテンツに係わるおすすめアイテムを、第１デバイス１００の所定画面に表示することができる。
【０２０６】
本発明の一実施形態による第１デバイス１００は、ユーザが指定した方式によって、おすすめアイテムを表示することも可能である。例えば、第１デバイス１００は、おすすめアイテムを、ポップアップ・ウィンドー形態で提供する場合もあり、特定ページにおすすめアイテムを表示することも可能である。
【０２０７】
本発明の一実施形態によれば、第１デバイス１００は、現在位置を基準に、所定半径内で、過去訪問した第２デバイス２００のサービス領域を検索することができる。過去訪問した第２デバイス２００のサービス領域が検索される場合、第１デバイス１００は、過去第２デバイス２００で再生されたコンテンツに係わるおすすめアイテムを抽出し、所定画面に表示することも可能である。
【０２０８】
図８は、本発明の一実施形態に係わる第２デバイスが、おすすめアイテムを提供する方法について説明するためのフローチャートである。図７と重複する部分に係わる具体的な説明は、省略する。
【０２０９】
段階８１０で、第１デバイス１００と第２デバイス２００は、通信連結される。段階８２０で、第２デバイス２００は、コンテンツを再生することができる。段階８３０で、第２デバイス２００は、第１デバイス１００から、第２デバイス２００で再生されるコンテンツに係わるおすすめアイテムの要請を受信することができる。
【０２１０】
段階８４０で、第２デバイス２００は、おすすめアイテムを生成することができる。例えば、第２デバイス２００は、再生中であるコンテンツに対応するアプリケーション・アイテム、レジュームアイテム、付加情報アイテム、広告アイテムなどを、おすすめアイテムとして生成することができるが、それらに限定されるものではない。
【０２１１】
段階８５０で、第２デバイス２００は、生成されたおすすめアイテムを、第１デバイス１００に伝送することができる。
【０２１２】
段階８６０で、第１デバイス１００は、第２デバイス２００のサービス領域からの離脱を感知する。もし第１デバイス１００が、第２デバイス２００のサービス領域から離脱していない場合、第１デバイス１００は、さらに第２デバイス２００に、おすすめアイテムを要請して受信することができる（段階８３０ないし段階８５０を反復）。例えば、第１デバイス１００が、第２デバイス２００のサービス領域から離脱していない場合、第１デバイス１００は、所定周期で、第２デバイス２００で更新されるおすすめアイテムを受信することができる。
【０２１３】
段階８７０で、第１デバイス１００は、第２デバイス２００のサービス領域からの離脱が感知される場合、第１デバイスで収集されるイベント情報に基づいて、第２デバイス２００で再生されるコンテンツに係わる第１デバイス１００ユーザの関心度を算出することができる。
【０２１４】
段階８８０で、第１デバイス１００は、第２デバイス２００で再生されるコンテンツに係わる第１デバイス１００ユーザの関心度が、所定値以上であるか否かを判断することができる。
【０２１５】
例えば、第１デバイス１００のユーザが、第２デバイス２００で再生されるコンテンツを観覧していた確率が９０％以上であるか否かを判断することができる。もし判断結果、第１デバイス１００のユーザが、第２デバイス２００で再生されるコンテンツを観覧していた確率が所定値（例えば、９０％）未満である場合、第１デバイス１００は、第２デバイス２００から受信されたおすすめアイテムを所定画面に表示しないこともある。
【０２１６】
段階８９０で、第１デバイス１００は、算出された関心度が、所定値（例えば、９０％）以上である場合、第２デバイス２００から受信されたおすすめアイテムを、所定画面に表示することができる。
【０２１７】
本発明の一実施形態によれば、所定周期で、おすすめアイテムが受信される場合、第１デバイス１００は、第２デバイス２００のサービス領域からの離脱を感知する前に、最後に受信されたおすすめアイテムを所定画面に表示することができる。
【０２１８】
一方、本発明の一実施形態によれば、第１デバイス１００は、コンテクスト情報を考慮し、おすすめアイテムを所定画面に表示することができる。段階８９０は、図７の段階７９０に対応するので、具体的な説明は省略する。
【０２１９】
以下では、第１デバイス１００が、第２デバイス２００のサービス領域から離脱する場合、第２デバイス２００で再生されるコンテンツに係わるおすすめアイテムを直接生成して表示する方法について、図９及び図１０を参照し、詳細に説明する。
【０２２０】
図９は、本発明のさらに他の実施形態に係わる第１デバイスのおすすめアイテム表示方法について説明するための図面である。
【０２２１】
段階９１０で、第２デバイス２００は、コンテンツを再生することができる。そして、段階９２０で、第２デバイス２００は、再生中であるコンテンツに係わる情報を、ブロードキャスティングすることができる。例えば、第２デバイス２００は、コンテンツを再生する画面をキャプチャしたキャプチャイメージ、キャプチャ時に再生中であるコンテンツの再生位置を示す再生位置情報（例えば、ＵＲＩ、ＵＲＬなど）、コンテンツに対応するアプリケーション情報、コンテンツに係わる付加情報、及びコンテンツに対応する広告情報のうち少なくとも一つを、所定周期でブロードキャスティングすることができる。
【０２２２】
段階９３０で、第２デバイス２００のサービス領域９００内に位置する第１デバイス１００は、第２デバイス２００で再生されるコンテンツに係わる情報を獲得することができる。すなわち、本発明の一実施形態による、第１デバイス１００は、第２デバイス２００のサービス領域９００内に位置する間、第２デバイス２００で再生されるコンテンツに係わる情報をロギングすることができる。
【０２２３】
段階９４０で、第１デバイス１００は、第２デバイス２００のサービス領域９００からの第１デバイス１００の離脱を感知する。
【０２２４】
例えば、第１デバイス１００は、第２デバイス２００との通信連結が遮断される場合、第２デバイス２００のサービス領域９００から離脱することを感知する。
【０２２５】
また、第１デバイス１００は、第２デバイス２００のサービス領域９００外または境界に存在する外部装置（例えば、ＮＦＣタグ、ＢＬＥタグなど）が認識される場合、第２デバイス２００のサービス領域９００からの離脱を感知する。
【０２２６】
一方、第１デバイス１００が、第２デバイス２００のサービス領域９００に係わる情報をあらかじめ保存していたり、あるいは第２デバイス２００からサービス領域９００に係わる情報を受信する場合、第１デバイス１００は、第１デバイス１００の位置情報を利用して、第２デバイス２００のサービス領域９００から外れることを感知することもできる。
【０２２７】
段階９５０で、第１デバイス１００は、第２デバイス２００から受信されたコンテンツに係わる情報に基づいて、おすすめアイテムを生成することができる。例えば、第１デバイス１００は、離脱を感知する前に、最後に受信されたキャプチャイメージ及び再生位置情報を利用して、第２デバイス２００で再生中であるコンテンツに係わるレジュームアイテムを生成することができる。そして、第１デバイス１００は、第２デバイス２００で再生中であるコンテンツに係わるアプリケーション・アイテム、付加情報アイテム、広告アイテムを生成することもできる。
【０２２８】
本発明の一実施形態による第１デバイス１００は、おすすめアイテムを、第１デバイス１００の所定画面に表示することができる。本発明の一実施形態による所定画面は、ファーストスクリーンを含んでもよい。
【０２２９】
一方、本発明の一実施形態による第１デバイス１００は、おすすめアイテムが生成される場合、すぐに所定画面に表示することもでき、おすすめアイテムを要請するユーザジェスチャが感知される場合にのみ、おすすめアイテムを所定画面に表示することもできる。
【０２３０】
すなわち、本発明の一実施形態による第１デバイス１００は、第２デバイス２００のサービス領域９００に留まる間、第２デバイス２００で再生されるコンテンツに係わる情報をロギングしていて、後で第２デバイス２００のサービス領域９００から外れる場合、第２デバイス２００で再生中であるコンテンツに係わるおすすめアイテムを、所定画面（例えば、ファーストスクリーン）に表示することができる。図１０を参照して説明する。
【０２３１】
図１０は、本発明のさらに他の実施形態に係わる第１デバイスのおすすめアイテム表示方法について説明するためのフローチャートである。図９と重複する部分に係わる具体的な説明は、省略する。
【０２３２】
段階１０１０で、第２デバイス２００は、コンテンツを再生することができる。
【０２３３】
段階１０２０で、第２デバイス２００は、再生中であるコンテンツに係わる情報（例えば、コンテンツのイメージ、コンテンツの再生位置情報、付加情報、広告情報、アプリケーション情報など）をブロードキャスティングすることができる。
【０２３４】
段階１０３０で、第２デバイス２００のサービス領域内に位置する第１デバイス１００は、第２デバイス２００で再生されるコンテンツに係わる情報を受信することができる。本発明の一実施形態による第１デバイス１００は、受信されたコンテンツに係わる情報を管理することができる。
【０２３５】
段階１０４０で、第１デバイス１００は、第２デバイス２００のサービス領域からの離脱を感知する。第１デバイス１００が離脱を感知する方法は、前述の通りであるので、具体的な説明を省略する。
【０２３６】
もし第１デバイス１００が、第２デバイス２００のサービス領域から離脱していない場合、第１デバイス１００は、第２デバイス２００からブロードキャスティングされるコンテンツに係わる情報を続けて収集することができる。
【０２３７】
段階１０５０で、第１デバイス１００は、第２デバイス２００のサービス領域からの離脱が感知される場合、第１デバイス１００で収集されるイベント情報に基づいて、第２デバイス２００で再生されるコンテンツに係わる第１デバイス１００ユーザの関心度を算出することができる。
【０２３８】
段階１０６０で、第１デバイス１００は、第２デバイス２００で再生されるコンテンツに係わる第１デバイス１００ユーザの関心度が所定値（例えば、７０％）以上であるか否かを判断することができる。判断した結果、第２デバイス２００で再生されるコンテンツに係わる第１デバイス１００ユーザの関心度が所定値（例えば、７０％）未満である場合、第１デバイス１００は、おすすめアイテムを生成しないこともある。
【０２３９】
段階１０７０で、第１デバイス１００は、算出された関心度が、所定値（例えば、７０％）以上である場合、第２デバイス２００から受信されたコンテンツに係わる情報に基づいて、おすすめアイテムを生成することができる。
【０２４０】
そして、段階１０８０で、第１デバイス１００は、生成されたおすすめアイテムを、所定画面（例えば、ファーストスクリーン）に表示することができる。
【０２４１】
本発明の一実施形態による第１デバイス１００は、第２デバイス２００で再生されるコンテンツに係わる情報を続けてロギングしていて、第１デバイス１００が、第２デバイス２００のサービス領域外に移動する場合、第２デバイス２００で再生されるコンテンツに係わるおすすめアイテムを生成し、第１デバイス１００の所定画面に表示することができる。
【０２４２】
また、本発明の一実施形態による第１デバイス１００は、状況分析を介して、第１デバイス１００のユーザが、第２デバイス２００で再生されるコンテンツを観覧していた確率が高い場合には、ユーザが第２デバイス２００のサービス領域を外れたとしても、第２デバイス２００で再生されるコンテンツを続けて利用するように、第２デバイス２００で再生されるコンテンツに係わるおすすめアイテムを生成し、所定画面に表示することができる。
【０２４３】
図１１Ａ及び図１１Ｂは、本発明の一実施形態に係わるおすすめアイテムを表示する所定画面を示す図面である。
【０２４４】
図１１Ａに図示されているように、第１デバイス１００は、第２デバイス２００で再生されるコンテンツに係わるおすすめアイテムを、リスト形態で所定画面に表示することができる。それぞれのおすすめアイテムは、互いに異なる第２デバイス２００で再生されたコンテンツに係わるアイテムでもある。例えば、ユーザが、バスに乗って劇場へ行って映画を見た後、地下鉄に乗って家に帰って来た場合、第１デバイス１００は、バス内で再生されたアニメーション・コンテンツに係わる第１おすすめアイテム、劇場で見た映画コンテンツに係わる第２おすすめアイテム、地下鉄の駅で再生された広告コンテンツに係わる第３おすすめアイテムをリスト形態で表示することができるのである。
【０２４５】
本発明の一実施形態による第１デバイス１００は、おすすめアイテムリストを、おすすめアイテムが生成された時間順序で配することもでき、サービス領域に長く留まった時間順序で配することもできる。
【０２４６】
本発明の一実施形態による第１デバイス１００は、おすすめアイテムリストで、「カンフー・パンダ」映画コンテンツに係わるおすすめアイテム１１００に係わるユーザの選択を感知する。「カンフー・パンダ」映画コンテンツに係わるおすすめアイテム１１００は、第１デバイス１００が、第２デバイス２００のサービス領域から離脱する時点でキャプチャされたキャプチャイメージに、リンク情報またはインデックス情報が連結されたレジュームアイテムでもある。
【０２４７】
例えば、第１デバイス１００のユーザが、飛行機の中でカンフー・パンダ映画を鑑賞していて、目的地に到着して飛行機から降りる場合、第１デバイス１００は、ユーザが飛行機から降りることを感知し、降りる前に鑑賞したカンフー・パンダ映画を続けて見ることができるレジュームアイテム１１００を所定画面に表示することができる。そのとき、レジュームアイテム１１００は、具現例によって、管理サーバ３００でも生成され、第２デバイス２００でも生成され、第１デバイス１００で生成されもする。
【０２４８】
図１１Ｂに図示されているように、第１デバイス１００のユーザが、カンフー・パンダ映画コンテンツに係わるおすすめアイテム１１００を選択する場合、第１デバイス１００は、おすすめアイテム１１００に含まれたリンク情報またはインデックス情報を確認することができる。そして、第１デバイス１００は、確認されたリンク情報またはインデックス情報に基づいて、ユーザが、第２デバイス２００のサービス領域から離脱する時点後、第２デバイス２００で再生されたコンテンツを続けて再生することができる。例えば、第１デバイス１００は、ユーザが飛行機から降りるために、まだ全て見ていないカンフー・パンダ映画をユーザが見られなかった部分から続けて再生することができる。
【０２４９】
図１２Ａないし図１２Ｃは、本発明の一実施形態に係わる第１デバイスが、外部デバイスからおすすめアイテムを受信して表示する方法について説明するための図面である。
【０２５０】
図１２Ａに図示されているように、第１デバイス１００は、少なくとも１つの外部デバイス４００−１，４００−２，４００−３で表示されるおすすめアイテムを要請するユーザジェスチャを感知する。そのとき、第１デバイス１００は、ユーザジェスチャに応答し、少なくとも１つの外部デバイス４００−１，４００−２，４００−３に、おすすめアイテムを要請する信号を伝送することができる。
【０２５１】
図１２Ｂに図示されているように、第１デバイス１００は、少なくとも１つの外部デバイス４００−１，４００−２，４００−３から、少なくとも１つの外部デバイス４００−１，４００−２，４００−３で表示されるおすすめアイテムを受信することができる。そして、第１デバイス１００は、少なくとも１つの外部デバイス４００−１，４００−２，４００−３から受信されたおすすめアイテムを、所定画面（または、所定ページ）に追加して表示することができる。
【０２５２】
そのとき、ユーザは、少なくとも１つの外部デバイス４００−１，４００−２，４００−３から受信されたおすすめアイテム（例えば、おすすめアイテム１、おすすめアイテム２、おすすめアイテム３）を確認し、そのうちの一部（例えば、おすすめアイテム２）を削除することができる。すなわち、第１デバイス１００は、おすすめアイテム２に係わる削除要請ジェスチャが感知される場合、おすすめアイテム２を、おすすめアイテムリストから削除することができる。本発明の一実施形態による削除要請ジェスチャは、多様である。例えば、スワイプ（swipe）ジェスチャ、フリックジェスチャ、タップジェスチャ、ドラッグアンドドロップ・ジェスチャなどがあるが、それらに限定されるものではない。
【０２５３】
図１２Ｃに図示されているように、第１デバイス１００は、ユーザの削除要請ジェスチャが感知されたおすすめアイテム２を、おすすめアイテムリストから削除し、おすすめアイテムリストを再配列することができる。
【０２５４】
図１３Ａないし図１３Ｃは、本発明の一実施形態に係わる第１デバイスが、外部デバイスと、おすすめアイテムを共有する方法について説明するための図面である。
【０２５５】
図１３Ａに図示されているように、本発明の一実施形態による第１デバイス１００は、ユーザから、おすすめアイテムに係わる外部デバイスとの共有要請を受信することができる。
【０２５６】
図１３Ｂに図示されているように、ユーザの共有要請に応答し、第１デバイス１００は、おすすめアイテムを共有することができる少なくとも１つの外部デバイスリスト（例えば、居間（living room）ＴＶ（television）、部屋（my room）ＴＶ、冷蔵庫ディスプレイ（refrigerator display）、妹のモバイルフォン（sister's mobile））を表示することができる。少なくとも１つの外部デバイスは、第１デバイス１００の周辺で、近距離通信（例えば、ブルートゥース通信、無線ＬＡＮ通信など）を介して検索されるデバイスでもある。また、本発明の一実施形態によれば、少なくとも１つの外部デバイスは、ＵＰｎＰ（universal plug and play）に基づいて検索されるデバイスでもある。
【０２５７】
本発明の一実施形態によれば、第１デバイス１００は、外部デバイスリスト（例えば、居間ＴＶ、部屋ＴＶ、冷蔵庫ディスプレイ、妹のモバイルフォンなど）から、居間ＴＶ １３００に係わるユーザの選択を感知する。
【０２５８】
図１３Ｃに図示されているように、第１デバイス１００は、居間ＴＶ １３００に、ユーザが共有することを所望するおすすめアイテムを伝送することができる。そのとき、第１デバイス１００は、居間ＴＶ １３００を認証する手続きを行うこともできる。例えば、第１デバイス１００は、居間ＴＶ １３００から受信された認証情報、居間ＴＶ １３００の識別情報などに基づいて、居間ＴＶ １３００が、おすすめアイテムを表示することができる機器であるか否かを認証することができる。
【０２５９】
第１デバイス１００からおすすめアイテムを受信した居間ＴＶ １３００は、受信されたおすすめアイテムを、画面に表示することができる。そして、居間ＴＶ １３００は、おすすめアイテムに係わるユーザの選択を受信することができる。もし第１デバイス１００から受信されたおすすめアイテムが、レジュームアイテムである場合、居間ＴＶ １３００は、レジュームコンテンツを再生することができる。
【０２６０】
また、第１デバイス１００から受信されたおすすめアイテムが、映画コンテンツに係わる付加情報アイテムである場合、居間ＴＶ １３００は、ＶＯＤ（video on demand）購入、ＯＳＴ購入、制作現場表示などの映画コンテンツに係わる付加情報を画面に表示することもできる。
【０２６１】
図１４Ａ及び図１４Ｂは、本発明の一実施形態に係わる、大衆交通施設内で再生されるコンテンツに係わるおすすめアイテムを提供する方法について説明するための図面である。
【０２６２】
図１４Ａに図示されているように、ユーザが機内に存在するディスプレイ装置１４００を介してコンテンツを鑑賞していて、飛行機が目的地に到着し、飛行機から降りる場合、ユーザは、それ以上コンテンツを鑑賞することができない。
【０２６３】
そのとき、図１４Ｂに図示されているように、第１デバイス１００は、機内に存在するディスプレイ装置１４００のサービス領域から、第１デバイス１００が離脱することを感知し、ディスプレイ装置１４００で再生中であったコンテンツに係わるおすすめアイテムを所定画面に表示することができる。
【０２６４】
図１５Ａないし図１５Ｃは、本発明の一実施形態に係わる、劇場内で再生される映画コンテンツに係わるおすすめアイテムを提供する方法について説明するための図面である。
【０２６５】
図１５Ａに図示されているように、ユーザは、劇場に存在する第２デバイス２００を介して映画を鑑賞していて、映画再生が完了する前に席を立って出ることがある。その場合、第１デバイス１００は、劇場出入口に存在する外部装置（例えば、ＮＦＣタグ、ＢＬＥタグなど）を認識することにより、第２デバイス２００のサービス領域からの離脱を感知する。
【０２６６】
図１５Ｂに図示されているように、第１デバイス１００は、ユーザが、第２デバイス２００のサービス領域から外れる時点から、第２デバイス２００で再生されるコンテンツを続けて鑑賞するように、第１デバイス１００の所定画面に、レジュームアイテムを提供することができる。その場合、ユーザは、劇場でまだ見ていない部分を続けて鑑賞することができる。
【０２６７】
一方、図１５Ｃに図示されているように、第１デバイス１００は、おすすめアイテム（例えば、付加情報アイテム、広告アイテム）を、外部デバイス（例えば、宅内ＴＶ）１５００に伝送することもできる。その場合、ユーザは、宅内ＴＶ １５００を介して、劇場で再生されたコンテンツに係わる付加情報を確認することができる。
【０２６８】
図１６Ａないし図１６Ｄは、本発明の一実施形態に係わる、スポーツ競技場内でプレイされるスポーツコンテンツに係わるおすすめアイテムを提供する方法について説明するための図面である。
【０２６９】
図１６Ａに図示されているように、ユーザは、野球場で野球競技を観覧することができる。そして、ユーザは、野球場に存在する電光板１６１０を介して、野球競技内容を確認することができる。
【０２７０】
図１６Ｂ及び図１６Ｃに図示されているように、ユーザが、野球競技中に、しばらく観衆席を立つ場合、第１デバイス１００は、観衆席境界または外に存在する外部装置（例えば、ＮＦＣタグまたはＢＬＥタグ）１６２０を認識することにより、ユーザが、観衆席から外れることを感知する。その場合、第１デバイス１００は、電光板１６１０に表示される野球競技内容に係わる付加情報アイテム、野球競技を中継するアプリケーション・アイテムなどを、おすすめアイテムとして所定画面に表示することができる。
【０２７１】
図１６Ｄに図示されているように、ユーザは、観衆席外に出ても、野球競技内容を、第１デバイス１００を介して、引き続き確認することができる。
【０２７２】
図１７Ａ及び図１７Ｂは、本発明の一実施形態に係わる第１デバイスの構成について説明するためのブロック構成図である。
【０２７３】
図１７Ａに図示されているように、本発明の一実施形態による第１デバイス１００は、通信部１１０、センシング部１３０、制御部１６０を含んでもよい。しかし、図示された構成要素がいずれも必須構成要素であるものではない。図示された構成要素より多くの構成要素によって、第１デバイス１００が具現されもし、それより少ない構成要素によっても、第１デバイス１００が具現されもする。
【０２７４】
例えば、図１７Ｂに図示されているように、本発明の一実施形態による第１デバイス１００は、通信部１１０、出力部１２０、センシング部１３０、ユーザ入力部１４０、Ａ／Ｖ（audio/video）入力部１５０、制御部１６０、メモリ１７０を含んでもよい。
【０２７５】
以下、前記構成要素について、順に説明する。
【０２７６】
通信部１１０は、第１デバイス１００及び第２デバイス２００、または第１デバイス１００及び管理サーバ３００の間の通信を行わせる一つ以上の構成要素を含んでもよい。例えば、通信部１１０は、移動通信部１１１、近距離通信部１１２、位置情報部１１３、無線通信部１１４を含んでもよい。
【０２７７】
また、移動通信部１１１は、移動通信網上で、基地局、外部の端末、サーバのうち少なくとも一つと無線信号を送受信する。ここで、無線信号は、音声コール信号、画像通話コール信号、または文字／マルチメディア・メッセージ送受信による多様な形態のデータを含んでもよい。
【０２７８】
近距離通信部１１２は、近距離通信のためのユニットを意味する。本発明の一実施形態による近距離通信技術には、無線ＬＡＮ（Ｗｉ−Ｆｉ、ブルートゥース、ジグビー、ＷＦＤ、ＵＷＢ、赤外線通信（ＩｒＤＡ：infrared data association）、ＢＬＥなどがあるが、それらに限定されるものではない。
【０２７９】
位置情報部１１３は、第１デバイス１００の位置を確認したり、あるいは得るためのユニットである。一例として、ＧＰＳモジュールがある。ＧＰＳモジュールは、複数個の人工衛星から位置情報を受信する。ここで、位置情報は、緯度及び経度で表示される座標情報を含んでもよい。特に、ＧＰＳモジュールは、衛星から受信した位置情報から、緯度、経度、高度の位置だけではなく、三次元の速度情報と共に、正確な時間まで得ることができる。
【０２８０】
無線通信部１１４は、無線インターネット接続のためのユニットをいい、無線通信部１１４は、第１デバイス１００に内蔵されたり、あるいは外に備えられる。
【０２８１】
出力部１２０は、オーディオ信号、ビデオ信号または振動信号の出力のためのものであり、それには、ディスプレイ部１２１、音響出力部１２２、振動モータ１２３などが含まれる。
【０２８２】
ディスプレイ部１２１は、第１デバイス１００で処理される情報を表示出力する。例えば、ディスプレイ部１２１は、第２デバイス２００で再生されるコンテンツに係わるおすすめアイテムを、所定画面（例えば、ファーストスクリーン）に表示することができる。また、ディスプレイ部１２１は、外部デバイスから受信された他のおすすめアイテムを、所定画面に表示することもできる。
【０２８３】
一方、ディスプレイ部１２１とタッチパッドとがレイヤ構造をなしてタッチスクリーンとして構成される場合、ディスプレイ部１２１は、出力装置以外に、入力装置としても使用される。ディスプレイ部１２１は、液晶ディスプレイ（liquid crystal display）、薄膜トランジスタ液晶ディスプレイ（thin film transistor-liquid crystal display）、有機発光ダイオード（organic light-emitting diode）、フレキシブルディスプレイ（flexible display）、三次元ディスプレイ（３Ｄ（three dimensional） display）、電気泳動ディスプレイ（electrophoretic display）のうち少なくとも一つを含んでもよい。そして、第１デバイス１００の具現形態によって、第１デバイス１００は、ディスプレイ部１２１を２個以上含んでもよい。そのとき、２個以上のディスプレイ部１２１は、ヒンジ（hinge）を利用して対向するように配置される。
【０２８４】
一方、本発明の一実施形態によれば、ディスプレイ部１２１は、第１デバイス１００と連結された外部機器に存在することもある。外部機器は、第１デバイス１００で実行されるアプリケーションに係わるデバイスでもある。外部機器は、具現例により、一つでもあり、複数でもある。
【０２８５】
外部機器は、第１デバイス１００と近距離通信を介して連結される。外部機器は、近距離通信を介して、第１デバイス１００から制御命令を受信することもできる。本発明の一実施形態による外部機器は、多様である。例えば、外部機器は、入力装置、出力装置、制御装置などを含んでもよい。
【０２８６】
本発明の一実施形態によれば、ディスプレイ部１２１は、ユーザのめがねに含まれもする。その場合、第１デバイス１００は、ユーザのめがねを介して、おすすめアイテムを表示することができる。
【０２８７】
音響出力部１２２は、通信部１１０から受信されたり、あるいはメモリ１７０に保存されたオーディオデータを出力する。また、音響出力部１２２は、第１デバイス１００で遂行される機能（例えば、コール信号受信音、メッセージ受信音など）に係わる音響信号を出力する。そのような音響出力部１２２には、スピーカ（speaker）、ブザー（buzzer）などが含まれもする。
【０２８８】
振動モータ１２３は、振動信号を出力することができる。例えば、振動モータ１２３は、オーディオデータまたはビデオデータ（例えば、コール信号受信音、メッセージ受信音など）の出力に対応する振動信号を出力することができる。また、振動モータ１２３は、タッチスクリーンにタッチが入力される場合、振動信号を出力することもでき、第１デバイス１００が、第２デバイス２００のサービス領域から外れる場合、振動信号を出力することもできる。
【０２８９】
センシング部１３０は、第１デバイス１００で生じるイベントを収集することができる。例えば、センシング部１３０は、第１デバイス１００の位置、ユーザの状態情報、第１デバイス１００で使用されるアプリケーション情報、送受信メッセージ情報、送受信電子メール情報、通話内訳情報、ＳＮＳ利用情報、ウェブページ利用情報、決済情報、ユーザの目位置などを感知する。
【０２９０】
また、センシング部１３０は、第１デバイス１００が、第２デバイス２００のサービス領域から離脱するか否かも感知する。例えば、センシング部１３０は、第２デバイス２００との通信連結遮断を感知する。また、センシング部１３０は、第２デバイス２００のサービス領域外または境界に存在する外部装置を認識することもできる。
【０２９１】
一方、センシング部１３０は、Ｗｉ−Ｆｉ（登録商標）、ＧＰＳ、通信網基地局などの情報を利用して、第２デバイス２００のサービス領域から、第１デバイス２００がＮ ｋｍほど離れているということを感知することもできる。また、ユーザが、第２デバイス２００のサービス領域内で、第１デバイス１００を利用してチェックインを行った場合、センシング部１３０は、加速度センサを利用して、第１デバイス１００がチェックインした位置から動いた距離を予測することもできる。
【０２９２】
本発明の一実施形態によるセンシング部１３０は、イベント情報を収集するための多様なセンサを含んでもよい。例えば、センシング部１３０は、加速度センサ（acceleration sensor）、勾配センサ（tilt sensor）、ジャイロセンサ（Gyro sensor）、磁場センサ（３−axis magnetic sensor）、音声認識センサ、照度センサ、温度センサ、映像センサ（例えば、カメラ）、タッチセンサなどを含んでもよいが、それらに限定されるものではない。
【０２９３】
一方、本発明の一実施形態によるセンシング部１３０は、ＳＳＰ １０と連動される。ＳＳＰ １０は、センサハブとＳＳＰマネージャとを含んでもよい。そのとき、本発明の一実施形態によれば、センシング部１３０は、センサハブに連結され、ＳＳＰマネージャは、アプリケーション・プロセッサ（ＡＰ）１６１のフレームワークに含まれもする。
【０２９４】
従って、センサハブは、センシング部１３０を介して、センシング情報（第１デバイス１００で生じるイベント情報）を収集することができる。そのとき、スリープモードのＡＰ １６１を目覚めさせなければならない状況が生じる場合（例えば、第２デバイス２００のサービス領域からの離脱が感知される場合）、センサハブは、ＳＳＰマネージャに伝送するデータがあるということを知らせる意味で、interrupt信号を伝送することができる。
【０２９５】
ＳＳＰマネージャでは、センサハブが伝送するデータ形式（data type）や長さ（length）などを要請する内容の信号を、センサハブに伝送することができる。その場合、センサハブは、伝送するデータの形式及び長さに係わる内容を、ＳＳＰマネージャに伝送することができる。ＳＳＰマネージャは、受信準備完了メッセージ（start to read ＭＳＧ）をセンサハブに伝送し、センサハブは、start to read ＭＳＧが受信されれば、センシングデータを、前もって約束されたパケットに加工し、ＳＳＰマネージャに伝送することができる。
【０２９６】
一方、本発明の一実施形態によるセンシング部１３０は、第１デバイス１００と連結された外部機器に存在することもある。外部機器、は第１デバイス１００で実行されるアプリケーションに係わるデバイスでもある。外部機器は、具現例により、一つでもあり、複数でもある。第１デバイス１００は、アプリケーションを利用して、外部機器を制御することができる。
【０２９７】
本発明の一実施形態によれば、第１デバイス１００は、外部機器に存在するセンシング部１３０でセンシングされるデータを、外部機器から受信することができる。例えば、温度センサが時計に装着されており、加速度センサがベルトに装着されている場合、第１デバイス１００は、温度情報を時計から受信し、加速度情報をベルトから受信することができる。そのとき、時計及びベルトは、第１デバイス１００にインストールされた所定アプリケーションを介して制御される。
【０２９８】
本発明の一実施形態によれば、多様なセンサを周辺機器に分けて装着することにより、第１デバイス１００で消費する電力使用量を減らすことができる。
【０２９９】
ユーザ入力部１４０は、ユーザが、第１デバイス１００を制御するためのデータを入力する手段を意味する。例えば、ユーザ入力部１４０には、キーパッド（key pad）、ドームスィッチ（dome switch）、タッチパッド（接触式静電容量方式、圧力式抵抗膜方式、赤外線感知方式、表面超音波伝導方式、積分式張力測定方式、ピエゾ効果方式など）、ジョグホイール、ジョグスィッチなどがあるが、それらに限定されるものではない。
【０３００】
Ａ／Ｖ入力部１５０は、オーディオ信号またはビデオ信号入力のためのものであり、それには、カメラ１５１やマイク１５２などが含まれる。カメラ１５１は、画像通話モードまたは撮影モードで、イメージセンサを介して、静止映像または動画などの画像フレームを得ることができる。イメージセンサを介してキャプチャされたイメージは、制御部１６０または別途のイメージ処理部（図示せず）を介して処理される。処理された画像フレームは、ディスプレイ部１２１に表示されもし、メモリ１７０に保存されたり、あるいは通信部１１０を介して、外部に伝送される。カメラ１５１は、第１デバイス１００の構成様態によって、２個以上が具備されもする。
【０３０１】
マイク１５２は、通話モード、録音モードまたは音声認識モードなどで、外部の音響信号を入力され、電気的な音声データに処理する。そして、処理された音声データは、通話モードである場合、移動通信部１１１を介して、移動通信基地局に送信可能な形態に変換されて出力される。
【０３０２】
制御部１６０は、一般的に、第１デバイス１００の全般的な動作を制御する。すなわち、制御部１６０は、メモリ１７０に保存されたプログラムを実行することにより、通信部１１０、出力部１２０、センシング部１３０、ユーザ入力部１４０、Ａ／Ｖ入力部１５０、メモリ１７０などを全般的に制御することができる。
【０３０３】
制御部１６０は、アプリケーション・プロセッサ（ＡＰ）１６１及びコミュニケーション・プロセッサ（ＣＰ）１６２を含んでもよい。アプリケーション・プロセッサ１６１は、メモリ１７０に保存された各種アプリケーションの実行を制御することができる。コミュニケーション・プロセッサ１６２は、多様な通信機能を制御することができる。本発明の一実施形態によれば、アプリケーション・プロセッサ１６１及びコミュニケーション・プロセッサ１６２は、１つのハードウェア装置で具現されもし、それぞれ別途のハードウェア装置で具現されもする。
【０３０４】
メモリ１７０は、制御部１６０の処理及び制御のためのプログラムを保存することもでき、入出力されるデータ（例えば、おすすめアイテム、コンテンツに係わる情報、センシング情報など）を保存することもできる。
【０３０５】
メモリ１７０は、フラッシュメモリ・タイプ（flash memory type）、ハードディスク・タイプ（hard disk type）、マルチメディアカードマイクロ・タイプ（multimedia card micro type）、カードタイプのメモリ（例えば、ＳＤメモリまたはＸＤメモリなど、ＲＡＭ（random-access memory）、ＳＲＡＭ（static random access memory）、ＲＯＭ（read-only memory）、ＥＥＰＲＯＭ（electrically erasable programmable read-only memory）、ＰＲＯＭ（programmable read-only memory）、磁気メモリ、磁気ディスク、光ディスクのうち少なくとも１つのタイプの記録媒体を含んでもよい。また、第１デバイス１００は、インターネット上で、メモリ１７０の保存機能を遂行するウェブストレージ（web storage）またはクラウドサーバを運用することもできる。
【０３０６】
メモリ１７０に保存されたプログラムは、その機能によって、複数個のモジュールに分類することができるが、例えば、ＵＩ（user interface）モジュール１７１、タッチスクリーン・モジュール１７２、状況分析モジュール１７３、おすすめアイテム管理モジュール１７４などに分類される。
【０３０７】
ＵＩモジュール１７１は、アプリケーション別に特化されたＵＩ、グラフィック・ユーザ・インターフェース（ＧＵＩ）などを提供することができる。タッチスクリーン・モジュール１７２は、ユーザのタッチスクリーン上のタッチジェスチャを感知し、タッチジェスチャに係わる情報を制御部１６０に伝達することができる。タッチスクリーン・モジュール１７２は、別途のコントローラ（Ｈ／Ｗ（hardware））で構成されもする。
【０３０８】
タッチスクリーンのタッチまたは近接タッチを感知するために、タッチスクリーンの内部または近くに、多様なセンサが具備される。タッチスクリーンのタッチを感知するためのセンサの一例として、触覚センサがある。触覚センサは、人が感じるほど、あるいはそれ以上に特定物体の接触を感知するセンサをいう。前記触覚センサは、接触面の粗度、接触物体の硬度、接触地点の温度のような多様な情報を感知する。
【０３０９】
ユーザのタッチジェスチャには、タップ、タッチ＆ホールド、ダブルタップ、ドラッグ、パニング、フリック、ドラッグアンドドロップ、スワイプなどがある。
【０３１０】
「タップ（tap）」は、ユーザが、指やタッチツール（例えば、ライトペン）を利用して、画面をタッチした後、動かないまま画面からすぐに離す動作を示す。
【０３１１】
「タッチ＆ホールド（touch & hold）」は、ユーザが、指やタッチツール（例えば、ライトペン）を利用して、画面をタッチした後、臨界時間（例えば、２秒）以上、タッチ入力を維持する動作を示す。すなわち、タッチイン時点とタッチアウト時点との時間差が臨界時間（例えば、２秒）以上である場合を意味する。タッチ入力が、タップであるかタッチ＆ホールドであるかをユーザに認識させるために、タッチ入力が臨界時間以上維持されれば、視覚的、聴覚的または触覚的にフィードバック信号を提供することもできる。前記臨界時間は、具現例によって変更される。
【０３１２】
「ダブルタップ（double tap）」は、ユーザが、指やタッチツール（stylus）を利用して、画面を２回タッチする動作を示す。
【０３１３】
「ドラッグ（drag）」は、ユーザが、指やタッチツールを画面にタッチした後、タッチを維持した状態で、指やタッチツールを画面内の他の位置に移動させる動作を意味する。ドラッグ動作によって、オブジェクトが移動されたり、あるいは後述するパニング動作が遂行される。
【０３１４】
「パニング（panning）」は、ユーザが、オブジェクトを選択せずに、ドラッグ動作を行う場合を示す。パニングは、特定オブジェクトを選択しないので、オブジェクトがページ内で移動されるのではなく、ページ自体が画面内で移動したり、あるいはオブジェクトのグループがページ内で移動する。
【０３１５】
「フリック（flick）」は、ユーザが、指やタッチツールを利用して、臨界速度（例えば、１００ pixel／ｓ）以上でドラッグする動作を示す。指やタッチツールの移動速度が、臨界速度（例えば、１００ pixel／ｓ）以上であるか否かに基づいて、ドラッグ（または、パニング）とフリックとを区別することができる。
【０３１６】
「ドラッグアンドドロップ（drag & drop）」は、ユーザが、指やタッチツールを利用して、オブジェクトを画面内所定位置にドラッグした後、そこに置く動作を意味する。
【０３１７】
「ピンチ（pinch）」は、ユーザが２本の指を画面の上にタッチさせた状態で、互いに異なる方向に動かす動作を示す。オブジェクトまたはページの拡大（pinch open）あるいは縮小（pinch close）のためのジェスチャであり、２本の指の距離によって、拡大値や縮小値が決定される。
【０３１８】
「スワイプ（swipe）」は、指やタッチツールで、画面の上のオブジェクトをタッチした状態で、水平方向または垂直方向に一定距離を動かす動作である。斜線方向の動きは、スワイプイベントとして認識されない。
【０３１９】
メモリ１７０は、音声認識エンジンを利用して、ユーザの音声を認識し、認識された音声を制御部１６０に伝達するための音声認識モジュール（図示せず）を含んでもよい。
【０３２０】
状況分析モジュール１７３は、センシング部１３０を介して収集されるイベント情報に基づいて、状況（context）を分析することができる。例えば、状況分析モジュール１７３は、第２デバイス２００で再生されるコンテンツに係わるユーザの関心度を算出することができる。本発明の一実施形態によれば、状況分析モジュール１７３は、ユーザの入力情報、ユーザの状態情報、現在位置情報、事前購入内訳情報などに基づいて、第２デバイス２００で再生されるコンテンツに係わるユーザの関心度を算出することができる。
【０３２１】
例えば、第１デバイス１００のユーザが、第１デバイス１００を利用して、第２デバイス２００、または第２デバイス２００のサービス領域について、チェックインする場合、状況分析モジュール１７３は、第２デバイス２００で再生されるコンテンツに係わるユーザの関心度を高く算出する。
【０３２２】
一方、状況分析モジュール１７３は、第１デバイス１００のユーザが、第２デバイス２００で再生されるコンテンツを観覧していた確率を算出することにより、第２デバイス２００で再生されるコンテンツに係わる第１デバイス１００ユーザの関心度を算出する。そのとき、状況分析モジュール１７３は、ユーザの状態情報、現在位置情報、第１デバイス１００で実行されるアプリケーション情報などに基づいて、第１デバイス１００のユーザが、第２デバイス２００で再生されるコンテンツを観覧していた確率を算出する。
【０３２３】
例えば、第１デバイス１００のユーザが、第２デバイス２００で提供されるデータを第１デバイス１００にダウンロードしたり、あるいは第２デバイス２００で再生されるコンテンツを、ＳＮＳを介して他のユーザに勧めるための推薦情報を、第１デバイス１００に入力する場合、状況分析モジュール１７３は、ユーザが、第２デバイス２００で再生されるコンテンツを観覧していた確率を高く算出する（例えば、９５％）。
【０３２４】
また、状況分析モジュール１７３は、第１デバイス１００の位置が、第２デバイス２００のサービス領域内で、所定時間以上変動がなく、ユーザの入力が、所定時間以上感知されない場合、ユーザが、第２デバイス２００で再生されるコンテンツを観覧していた確率を高く算出する（例えば、９０％）。
【０３２５】
一方、第２デバイス２００のサービス領域内に、第１デバイス１００が所定時間以上位置しているとしても、第２デバイス２００のサービス領域内に位置する間、第１デバイス１００のユーザから、第２デバイス２００で再生されるコンテンツと係わりのないアプリケーションに係わる実行要請が受信された場合、状況分析モジュール１７３は、第１デバイス１００のユーザが、第２デバイス２００で再生されるコンテンツを観覧していた確率を低く算出する（例えば、３０％）。
【０３２６】
本発明の一実施形態によれば、状況分析モジュール１７３は、カメラを介して、ユーザの目をセンシングした情報に基づいて、第２デバイス２００で再生されるコンテンツに係わるユーザの関心度を算出することもできる。
【０３２７】
状況分析モジュール１７３は、第１デバイス１００に、第２デバイス２００で再生されるコンテンツに係わる観覧券購入内訳が存在したり、あるいは第２デバイス２００のサービス領域にチェックインした記録が存在する場合、第２デバイス２００で再生されるコンテンツに係わる第１デバイス１００ユーザの関心度が、所定値以上であると判断することができる。
【０３２８】
本発明の一実施形態によれば、状況分析モジュール１７３は、オントロジーに基づいて、収集されたイベント情報分析を行うことにより、第２デバイス２００で再生されるコンテンツに係わる第１デバイス１００ユーザの関心度情報を獲得することもできる。
【０３２９】
例えば、状況分析モジュール１７３は、オントロジーに基づいて、ユーザから入力されるテキスト／音声と、第２デバイス２００で再生されるコンテンツとの相関度情報を獲得することができる。そして、状況分析モジュール１７３は、ユーザから入力されるテキスト／音声と、第２デバイス２００で再生されるコンテンツとの相関度情報に基づいて、第２デバイス２００で再生されるコンテンツに係わる第１デバイス１００ユーザの関心度を算出する。
【０３３０】
おすすめアイテム管理モジュール１７４は、管理サーバ３００、第２デバイス２００または外部デバイスから受信されたおすすめアイテムを管理することができる。また、おすすめアイテム管理モジュール１７４は、第２デバイス２００から受信されたコンテンツに係わる情報に基づいて、直接おすすめアイテムを生成することもできる。
【０３３１】
図１８は、本発明の一実施形態に係わる第２デバイスの構成について説明するためのブロック構成図である。
【０３３２】
図１８に図示されているように、本発明の一実施形態による第２デバイス２００は、通信部２１０、出力部２２０、ユーザ入力部２３０、制御部２４０、メモリ２５０を含んでもよい。しかし、図示された構成要素がいずれも必須構成要素であるものではない。図示された構成要素より多くの構成要素によって、第２デバイス２００が具現されもし、それより少ない構成要素によっても、第２デバイス２００が具現される。
【０３３３】
以下、前記構成要素について、順に説明する。
【０３３４】
通信部２１０は、第２デバイス２００及び第１デバイス１００、または第２デバイス２００及び管理サーバ３００の間の通信を行わせる一つ以上の構成要素を含んでもよい。例えば、通信部２１０は、移動通信部２１１、近距離通信部２１２、有線通信部２１３、無線通信部２１４を含んでもよい。
【０３３５】
本発明の一実施形態による近距離通信技術には、無線ＬＡＮ（Ｗｉ−Ｆｉ、ブルートゥース、ジグビー、ＷＦＤ、ＵＷＢ、赤外線通信（ＩｒＤＡ）、ＢＬＥ、ＡＮＴ＋などがあるが、それらに限定されるものではない。
【０３３６】
本発明の一実施形態によれば、通信部２１０は、コンテンツに係わる情報を、第１デバイス１００または管理サーバ３００に伝送することができる。また、通信部２１０は、コンテンツに係わるおすすめアイテムを、第１デバイス１００または管理サーバ３００に伝送することもできる。
【０３３７】
一方、通信部２１０は、第２デバイス２００で再生されるコンテンツに係わるおすすめアイテムを獲得することができる管理サーバ３００に係わる情報を、近距離通信を介して所定周期で、ブロードキャスティングすることができる。管理サーバ３００に係わる情報は、管理サーバ３００にアクセスするためのリンク情報（例えば、ＵＲＬ）を含んでもよい。
【０３３８】
出力部２２０は、オーディオ信号、ビデオ信号または振動信号の出力のためのものであり、それには、ディスプレイ部２２１、音響出力部２２２及び振動モータ２２３などが含まれる。
【０３３９】
ディスプレイ部２２１は、第２デバイス２００で処理される情報を表示出力する。例えば、ディスプレイ部２２１は、第２デバイス２００で再生されるコンテンツを画面に表示することができる。
【０３４０】
また、ディスプレイ部２２１は、第２デバイス２００で再生されるコンテンツに係わるおすすめアイテムを獲得することができる管理サーバ３００に係わる情報を含む二次元バーコード（例えば、ＱＲコード（登録商標）、カラーコード、グレーコードなどを表示することもできる。
【０３４１】
一方、ディスプレイ部２２１とタッチパッドとがレイヤ構造をなしてタッチスクリーンとして構成される場合、ディスプレイ部２２１は、出力装置以外に、入力装置としても使用される。ディスプレイ部２２１は、液晶ディスプレイ（ＬＣＤ）、薄膜トランジスタ液晶ディスプレイ、有機発光ダイオード、フレキシブルディスプレイ、三次（３Ｄ）ディスプレイ、電気泳動ディスプレイのうち少なくとも一つを含んでもよい。そして、第２デバイス２００の具現形態によって、第２デバイス２００は、ディスプレイ部２２１を２個以上含んでもよい。
【０３４２】
音響出力部２２２は、通信部２１０から受信されたり、あるいはメモリ２５０に保存されたオーディオデータを出力する。また、音響出力部２２２は、第２デバイス２００で遂行される機能に係わる音響信号を出力する。そのような音響出力部２２２には、スピーカ、ブザーなどが含まれる。
【０３４３】
振動モータ２２３は、振動信号を出力することができる。例えば、振動モータ２２３は、オーディオデータまたはビデオデータの出力に対応する振動信号を出力することができる。また、振動モータ２２３は、タッチスクリーンにタッチが入力される場合、振動信号を出力することもできる。
【０３４４】
ユーザ入力部２３０は、ユーザが、第２デバイス２００を制御するためのデータを入力する手段を意味する。例えば、ユーザ入力部２３０には、キーパッド、ドームスィッチ、タッチパッド（接触式静電容量方式、圧力式抵抗膜方式、赤外線感知方式、表面超音波伝導方式、積分式張力測定方式、ピエゾ効果方式など）、ジョグホイール、ジョグスィッチなどがあるが、それらに限定されるものではない。
【０３４５】
制御部２４０は、一般的に、第２デバイス２００の全般的な動作を制御する。すなわち、制御部２４０は、メモリ２５０に保存されたプログラムを実行することにより、通信部２１０、出力部２２０、ユーザ入力部２３０、メモリ２５０などを全般的に制御することができる。
【０３４６】
メモリ２５０は、制御部２４０の処理及び制御のためのプログラムを保存することもでき、入出力されるデータ（例えば、マルチメディア・コンテンツ、おすすめアイテム、コンテンツに係わる情報など）を保存することもできる。
【０３４７】
メモリ２５０は、フラッシュメモリ・タイプ、ハードディスク・タイプ、マルチメディアカードマイクロ・タイプ、カードタイプのメモリ（例えば、ＳＤメモリまたはＸＤメモリなど、ＲＡＭ、ＳＲＡＭ、ＲＯＭ、ＥＥＰＲＯＭ、ＰＲＯＭ、磁気メモリ、磁気ディスク、光ディスクのうち少なくとも１つのタイプの記録媒体を含んでもよい。また、第２デバイス２００は、インターネット上でメモリ２５０の保存機能を遂行するウェブストレージまたはクラウドサーバを運用することもできる。
【０３４８】
メモリ２５０に保存されたプログラムは、その機能によって、複数個のモジュールでに類することができるが、例えば、ＵＩモジュール２５１、コンテンツ再生モジュール２５２、おすすめアイテム生成モジュール２５３、コンテンツ管理モジュール２５４などに分類される。
【０３４９】
ＵＩモジュール２５１は、コンテンツまたはアプリケーション別に特化されたＵＩ、ＧＵＩなどを提供することができる。コンテンツ再生モジュール２５２は、所定コンテンツを再生することができる。ＵＩモジュール２５１、コンテンツ再生モジュール２５２の機能は、その名称から当業者が直観的に推論することができるので、具体的な説明は省略する。
【０３５０】
おすすめアイテム生成モジュール２５３は、再生中であるコンテンツに係わるおすすめアイテムを生成することができる。例えば、おすすめアイテム生成モジュール２５３は、コンテンツを再生する画面をキャプチャしたキャプチャイメージ、及びキャプチャ時に再生中であるコンテンツの再生位置を示す再生位置情報を利用して、レジュームアイテムを生成することができる。また、おすすめアイテム生成モジュール２５３は、再生中であるコンテンツに対応するアプリケーション・アイテム、広告アイテム、付加情報アイテムなどを生成することもできる。
【０３５１】
コンテンツ管理モジュール２５４は、第２デバイス２００で再生されるコンテンツ、コンテンツに係わる情報などを管理することができる。
【０３５２】
図１９は、本発明の一実施形態に係わる管理サーバの構成について説明するためのブロック構成図である。
【０３５３】
図１９に図示されているように、本発明の一実施形態による管理サーバ３００は、通信部３１０、制御部３２０、メモリ３３０を含んでもよい。しかし、図示された構成要素がいずれも必須構成要素であるものではない。図示された構成要素より多くの構成要素によって、管理サーバ３００が具現されもし、それより少ない構成要素によっても、管理サーバ３００が具現される。
【０３５４】
以下、前記構成要素について、順に説明する。
【０３５５】
通信部３１０は、管理サーバ３００及び第１デバイス１００、または管理サーバ３００及び第２デバイス２００の間の通信を行わせる一つ以上の構成要素を含んでもよい。
【０３５６】
通信部３１０は、第１デバイス１００から、第２デバイス２００で再生されるコンテンツに係わるおすすめアイテム要請を受信することができる。通信部３１０は、第２デバイス２００で再生されるコンテンツに係わる情報を、第２デバイス２００に要請し、受信することができる。通信部３１０は、第１デバイス１００に、第２デバイス２００で再生されるコンテンツに係わるおすすめアイテムを伝送することができる。
【０３５７】
一方、通信部３１０は、コンテンツに係わるおすすめアイテムを、第１デバイス１００と連結されたクラウドサーバに伝送することもできる。
【０３５８】
制御部３２０は、一般的に、管理サーバ３００の全般的な動作を制御する。例えば、本発明の一実施形態による制御部３２０は、メモリ３３０に保存された少なくとも１つのプログラムを実行することにより、第１デバイス１００に、第２デバイス２００で再生されるコンテンツに係わるおすすめアイテムを提供することができる。
【０３５９】
メモリ３３０は、制御部３２０の処理及び制御のためのプログラムを保存することもでき、入出力されるデータ（例えば、おすすめアイテム、コンテンツに係わる情報、センシング情報など）を保存することもできる。
【０３６０】
メモリ３３０に保存されたプログラムは、その機能によって、複数個のモジュールに分類することができるが、例えば、状況分析モジュール３３１、おすすめアイテム生成モジュール３３２、サービス領域管理モジュール３３３などに分類することができる。
【０３６１】
状況分析モジュール３３１は、第１デバイス１００で収集されるイベント情報に基づいて、状況（context）を分析することができる。特に、状況分析モジュール３３１は、第２デバイス２００で再生されるコンテンツに係わる第１デバイス１００のユーザの関心度、第１デバイス１００のユーザが、第２デバイス２００で再生されるコンテンツを観覧していた確率などを算出する。状況分析モジュール３３１は、ユーザの入力情報、ユーザの状態情報、第１デバイス１００の位置情報、事前購入内訳情報などに基づいて、第１デバイス１００のユーザが、第２デバイス２００で再生されるコンテンツを観覧していた確率を算出する。
【０３６２】
状況分析モジュール３３１は、第２デバイス２００で再生されるコンテンツに係わる第１デバイス１００ユーザの観覧券購入内訳が存在したり、あるいは第２デバイス２００のサービス領域に、第１デバイス１００を介してチェックインした記録が存在する場合、第２デバイス２００で再生されるコンテンツに係わる第１デバイス１００ユーザの関心度が、所定値以上であると判断することができる。
【０３６３】
本発明の一実施形態によれば、状況分析モジュール３３１は、オントロジーに基づいて、第１デバイス１００で収集されたイベント情報分析を行うことにより、第２デバイス２００で再生されるコンテンツに係わる第１デバイス１００ユーザの関心度を分析することもできる。
【０３６４】
例えば、状況分析モジュール３３１は、オントロジーに基づいて、ユーザから入力されるテキスト／音声と、第２デバイス２００で再生されるコンテンツとの相関度情報を獲得し、相関度情報を利用して、第２デバイス２００で再生されるコンテンツに係わる第１デバイス１００ユーザの関心度を算出する。
【０３６５】
おすすめアイテム生成モジュール３３２は、第１デバイスが、第２デバイス２００のサービス領域から離脱する時点で第２デバイス２００で再生されるコンテンツに係わるおすすめアイテムを、第２デバイス２００から受信されたコンテンツに係わる情報に基づいて、生成することができる。
【０３６６】
例えば、おすすめアイテム生成モジュール３３２は、第１デバイス１００が、第２デバイス２００のサービス領域から離脱する時点で第２デバイス２００で再生されるコンテンツのイメージをキャプチャしたキャプチャイメージ情報、及び第１デバイス１００の離脱時点で第２デバイス２００で再生されるコンテンツの再生位置に係わる再生位置情報を利用して、レジュームアイテムを生成することができる。また、おすすめアイテム生成モジュール２５３は、再生中であるコンテンツに対応するアプリケーション・アイテム、広告アイテム、付加情報アイテムなどをおすすめアイテムとして生成することもできる。
【０３６７】
サービス領域管理モジュール３３３は、コンテンツを再生するサービスを提供する第２デバイス２００のサービス領域に係わる情報を管理することができる。例えば、サービス領域管理モジュール３３３は、第２デバイス２００の位置、第２デバイス２００のサービス領域の位置、第２デバイス２００の識別情報、第２デバイス２００で再生されるコンテンツに係わる情報などを管理することができる。
【０３６８】
本発明の一実施形態による方法は多様な、コンピュータ手段を介して遂行されるプログラム命令形態で具現され、コンピュータ可読媒体に記録される。前記コンピュータ可読媒体は、プログラム命令、データファイル、データ構造などを、単独でまたは組み合わせて含んでもよい。前記媒体に記録されるプログラム命令は、本発明のために特別に設計されて構成されたものなどや、コンピュータ・ソフトウェア当業者に公知されて使用可能なものでもある。コンピュータ可読記録媒体の例には、ハードディスク、プロッピィーディスク及び磁気テープのような磁気媒体（magnetic media）；ＣＤ（compact disc）−ＲＯＭ、ＤＶＤ（digital versatile disc）のような光記録媒体（optical media）；フロプティカルディスク（floptical disk）のような磁気光媒体（magneto-optical media；及びＲＯＭ、ＲＡＭ、フラッシュメモリのようなプログラム命令を保存して遂行するように特別に構成されたハードウェア装置；が含まれる。プログラム命令の例には、コンパイラによって作われるような同じ機械語コードだけではなく、インタープリタなどを使用し、コンピュータによって実行される高級言語コードを含む。
【０３６９】
本発明の一実施形態による第１デバイス１００は、ユーザが、第１デバイス１００の外部で経験するサービスを、個人用デバイスである第１デバイス１００を介して再び経験させる。
【０３７０】
すなわち、本発明の一実施形態によれば、ユーザは、公共デバイスを介して鑑賞したコンテンツを、公共デバイスのサービス領域から外れたとしても、個人デバイスを介して続けて鑑賞することができる。
【０３７１】
以上、本発明の実施形態について詳細に説明したが、本発明の権利範囲は、それらに限定されるものではなく、特許請求の範囲で定義している本発明の基本概念を利用した当業者の多くの変形形態及び改良形態も、本発明の権利範囲に属する。
【産業上の利用可能性】
【０３７２】
本発明の 客体表示方法、客体提供方法及びそのためのシステムは、例えば、移動通信関連の技術分野に効果的に適用可能である。
【符号の説明】
【０３７３】
１０    ＳＳＰ
１００    第１デバイス
１１０    通信部
２１０    通信部
３１０    通信部
１２０    出力部
２２０    出力部
１３０    センシング部
１６０    制御部
２４０    制御部
３２０    制御部
１７０    メモリ
２５０    メモリ
３３０    メモリ
２００    第２デバイス
２００−１    「Ａ」公共デバイス
２３０    ユーザ入力部
３００    管理サーバ
４００−１    外部デバイス
４００−２    外部デバイス
４００−３    外部デバイス
１５００    外部デバイス
１６２０    外部デバイス
６００    サービス境域
９００    サービス境域
１１００    おすすめアイテム
１３００    居間のテレビ
１４００    ディスプレイ装置
１６１０    電光板
【図１】
2014149832.tif 000003
【図２】
2014149832.tif 000004
【図３】
2014149832.tif 000005
【図４】
2014149832.tif 000006
【図５】
2014149832.tif 000007
【図６】
2014149832.tif 000008
【図７】
2014149832.tif 000009
【図８】
2014149832.tif 000010
【図９】
2014149832.tif 000011
【図１０】
2014149832.tif 000012
【図１１Ａ】
2014149832.tif 000013
【図１１Ｂ】
2014149832.tif 000014
【図１２】
2014149832.tif 000015
【図１３Ａ】
2014149832.tif 000016
【図１３Ｂ】
2014149832.tif 000017
【図１３Ｃ】
2014149832.tif 000018
【図１４Ａ】
2014149832.tif 000019
【図１４Ｂ】
2014149832.tif 000020
【図１５】
2014149832.tif 000021
【図１６】
2014149832.tif 000022
【図１７Ａ】
2014149832.tif 000023
【図１７Ｂ】
2014149832.tif 000024
【図１８】
2014149832.tif 000025
【図１９】
2014149832.tif 000026